(57)【要約】【課題】  遊技盤に形成された表示用窓部に回動可能な画像表示器を備えた遊技機において、表示用窓部内における演出効果を高める。【解決手段】  画像回動装置３０を遊技盤１の裏面側に配設し、画像表示器１２および演出装置１００を大型化する。また、回動可能な画像表示ユニット３２の前面側に、画像表示器１２を挟んで対向状に画像表示面１１での表示を演出する一対の演出装置１００を配設し、演出装置１００が画像表示面１１と一緒に回動するようにして、画像表示面１１の回動に応じた効果的な演出が行えるようにし、興趣を向上させる。さらに、演出装置１００が画像表示器１２の上部に位置した際に、当該上部の演出装置１００の演出物収納部１０１から該画像表示器１２の前方側に該演出物１０２を落下させることで演出を行い、画像表示面１１に表示された表示内容に演出物１０２を深く関連づけてより効果的な演出を可能とする。【選択図】図８
2006061598.tif 000002
【特許請求の範囲】
【請求項１】
遊技盤に形成された表示用窓部から画像表示面を前面側に臨ませるように画像表示装置を該遊技盤の裏面側に配設した遊技機において、
前記画像表示装置は、前記画像表示面を有する画像表示器を配設した画像表示ユニットを、当該遊技機の前後方向に設定された回動軸を中心に回動可能に設けることで、該画像表示面を前記表示用窓部内において回動可能に構成した画像回動装置を備え、
前記画像表示ユニットの前面側には、前記画像表示器を挟んで対向状に前記画像表示面での表示を演出する一対の演出装置を配設し、
前記演出装置は、
内部に演出物を収納可能な演出物収納部を有し、前記画像表示ユニットの回動に応じて一方の演出装置が前記画像表示器の上部に位置した際に、当該上部の演出装置の演出物収納部から該画像表示器の前方側に該演出物を落下させるとともに、該落下させた演出物を下方に位置する演出装置の演出物収納部で収納するように構成したことを特徴とする遊技機。
【請求項２】
前記演出装置は、長方形状の画像表示面の長辺側に各々配設し、該画像表示面の長辺に沿って延在したことを特徴とする請求項１に記載の遊技機。
【請求項３】
前記一対の演出装置は、いずれも演出物収納部の演出物を落下および収納可能に構成したことを特徴とする請求項１または請求項２に記載の遊技機。
【請求項４】
前記演出装置は、前記画像表示面の周辺を構成する周辺構成部材から前方に突出状に前記演出物収納部を形成して構成し、該演出物収納部における前記画像表示面側には、前記演出物を落下および収納するための開閉装置を設けたことを特徴とする請求項３に記載の遊技機。
【請求項５】
前記画像回動装置は、前記画像表示ユニットを回動可能に軸支するとともに、該画像表示ユニットの裏面側所定部位を収納する収納部材を有し、
前記収納部材における前記画像表示ユニットの特定の回動位置に対応する部位に、前記開閉装置を開閉させるための電気的駆動源および駆動力を伝達する伝達部材を有する駆動装置を配設し、
前記画像表示ユニットが前記特定の回動位置となった際に、当該画像表示ユニットの裏面側に設けられた被伝達部材に対して、前記駆動装置の伝達部材が作用して駆動力を伝達するように構成したことを特徴とする請求項４に記載の遊技機。
【発明の詳細な説明】
【技術分野】
【０００１】
本発明は、遊技盤に形成された表示用窓部から画像表示面を前面側に臨ませるように画像表示装置を該遊技盤の裏面側に配設した遊技機に関する。
【背景技術】
【０００２】
従来、遊技盤に変動表示装置を設け、該変動表示装置で複数の識別情報による変動表示ゲームを行うようにしたパチンコ遊技機等の遊技機が知られている。
このような遊技機においては、前記変動表示ゲームの結果が予め定められた特別結果となった場合に、遊技者に所定の利益を付与可能な特別遊技状態が発生するように構成されていた。
また、変動表示ゲームの興趣を高めるために、前記変動表示装置の表示器を回動可能に設け、該表示器の表示状態に応じて該表示器を回動させるようにしたパチンコ遊技機も考えられている（例えば、特許文献１参照）。
そして、特許文献１に示されるパチンコ遊技機においては、その図に示されるように、遊技盤の盤面（前面）の中央にセンターケースが配置され、センターケース内、すなわち、遊技盤の盤面側に表示器を配置している。また、表示器の背部に回転軸を設け、回転軸の後部に同心状に被動歯車（従動歯車）を固着し、この被動歯車に可逆駆動モータの駆動軸に固定した駆動歯車を噛み合わせて表示器を回転駆動するようになっている。
【特許文献１】特開平６−３９１０９号公報（第２〜３頁、図３、４）
【発明の開示】
【発明が解決しようとする課題】
【０００３】
従来の遊技機における変動表示装置の構成では、表示器と一緒に回動するものとしては表示器の近傍に備えられた待機記録ランプ（始動記憶表示器）程度の比較的小型なものに限定されてしまい、表示器の回動を効果的に演出することが困難である。
また、従来の遊技機においては、表示窓部内において、表示内容を演出するものは、装飾ランプのみであり、このような発光により演出するものだけでは演出効果が低い。また、装飾ランプは表示器の裏面側に固定されているものであり、表示器の回動に応じた効率のよい演出は行えない。
【０００４】
本発明の課題は、遊技盤に形成された表示用窓部に回動可能な画像表示器を備えた遊技機において、表示用窓部内における演出効果を高めることである。
【課題を解決するための手段】
【０００５】
以上の課題を解決するため、請求項１に記載の発明は、遊技盤に形成された表示用窓部から画像表示面を前面側に臨ませるように画像表示装置を該遊技盤の裏面側に配設した遊技機において、
前記画像表示装置は、前記画像表示面を有する画像表示器を配設した画像表示ユニットを、当該遊技機の前後方向に設定された回動軸を中心に回動可能に設けることで、該画像表示面を前記表示用窓部内において回動可能に構成した画像回動装置を備え、
前記画像表示ユニットの前面側には、前記画像表示器を挟んで対向状に前記画像表示面での表示を演出する一対の演出装置を配設し、
前記演出装置は、
内部に演出物を収納可能な演出物収納部を有し、前記画像表示ユニットの回動に応じて一方の演出装置が前記画像表示器の上部に位置した際に、当該上部の演出装置の演出物収納部から該画像表示器の前方側に該演出物を落下させるとともに、該落下させた演出物を下方に位置する演出装置の演出物収納部で収納するように構成したことを特徴としている。
【０００６】
ここで、「遊技機」とは、例えば、各種パチンコ遊技機、アレンジボール遊技機、雀球遊技機等の弾球遊技機であり、かつ、画像表示装置を有するものである。
また、「演出物」は、例えば、花びら、雪、雨、植物の種子（たんぽぽ、かえで等）等の自然界で落下するものを模したもので、細いシート状や粒状のものである。
【０００７】
請求項１に記載の発明によれば、画像回動装置が遊技盤の裏面側に配設されているので、従来のように遊技領域を狭める等の問題点を抑えつつ画像表示器および演出装置を大型化できる。
また、回動可能な画像表示ユニットの前面側に、画像表示器を挟んで対向状に画像表示面での表示を演出する一対の演出装置を配設したことで、演出装置が画像表示面と一緒に回動するので、画像表示面の回動に応じた効果的な演出が行え、興趣を向上させることができる。
さらに、演出装置が画像表示器の上部に位置した際に、当該上部の演出装置の演出物収納部から該画像表示器の前方側に該演出物を落下させるようにしたことで、演出物を画像表示面の前方側に落下させることで演出を行うことができ、画像表示面に表示された表示内容に演出物を深く関連づけてより効果的な演出が可能となる。
すなわち、従来にない斬新な手法で効果的な演出を行うことができ、遊技者の興趣を向上させることができる。
また、落下させた演出物を下方に位置する演出装置の演出物収納部に収納するので、落下後の演出物が画像表示器の表示の邪魔になるのを防止できる。
【０００８】
請求項２に記載の発明は、請求項１に記載の遊技機であって、前記演出装置は、長方形状の画像表示面の長辺側に各々配設し、該画像表示面の長辺に沿って延在したことを特徴としている。
【０００９】
請求項２に記載の発明によれば、演出装置は、長方形状の画像表示面の長辺側に各々配設し、該画像表示面の長辺に沿って延在しているので、演出物を横長の画像表示面の左右方向全体にかけて落下させることが可能となり、さらに演出効果を高めることができる。
【００１０】
請求項３に記載の発明は、請求項１または請求項２に記載の遊技機であって、前記一対の演出装置は、いずれも演出物収納部の演出物を落下および収納可能に構成したことを特徴としている。
【００１１】
請求項３に記載の発明によれば、一対の演出装置は、いずれも演出物収納部の演出物を落下および収納可能に構成したので、どちらの演出装置が上方に位置した状態でも、上方にある演出装置から演出物を落下させるとともに下方にある演出装置で演出物を収納（回収）でき、演出が画像表示ユニットの回動位置に規制されることがなく、効率よく演出を発生できる。
【００１２】
請求項４に記載の発明は、請求項３に記載の遊技機であって、前記演出装置は、前記画像表示面の周辺を構成する周辺構成部材から前方に突出状に前記演出物収納部を形成して構成し、該演出物収納部における前記画像表示面側には、前記演出物を落下および収納するための開閉装置を設けたことを特徴としている。
【００１３】
請求項４に記載の発明によれば、演出装置に、画像表示面の周辺を構成する周辺構成部材から前方に突出状に演出物収納部を形成したことで、演出物を画像表示面の前方側に確実に落下させることができる。
また、演出物収納部における画像表示面側には、演出物を落下および収納するための開閉装置を設けたので、必要なときに確実に演出物の落下、収納による演出を行うことができる。
【００１４】
請求項５に記載の発明は、請求項４に記載の遊技機であって、前記画像回動装置は、前記画像表示ユニットを回動可能に軸支するとともに、該画像表示ユニットの裏面側所定部位を収納する収納部材を有し、
前記収納部材における前記画像表示ユニットの特定の回動位置に対応する部位に、前記開閉装置を開閉させるための電気的駆動源および駆動力を伝達する伝達部材を有する駆動装置を配設し、
前記画像表示ユニットが前記特定の回動位置となった際に、当該画像表示ユニットの裏面側に設けられた被伝達部材に対して、前記駆動装置の伝達部材が作用して駆動力を伝達するように構成したことを特徴としている。
【００１５】
請求項５に記載の発明によれば、開閉装置を駆動する駆動装置を、画像表示ユニットを回動可能に軸支し、画像表示ユニットを収納する収納部材の、画像表示ユニットの特定の回動位置に対応する部位に駆動装置を設けたことで、駆動装置が、回動する画像表示ユニットとともに回動しないので、駆動装置を固定位置に配設でき、駆動機構の大きさや配設位置等の制限を抑えることができる。また、駆動装置が回動することによる配線処置の問題もなくすことができる。
【発明の効果】
【００１６】
本発明によれば、画像回動装置が遊技盤の裏面側に配設されているので、画像表示器および演出装置を大型化できる。
また、回動可能な画像表示ユニットの前面側に、前記画像表示器を挟んで対向状に演出装置を配設したことで、演出装置が画像表示面と一緒に回動するので、画像表示面の回動に応じた効果的な演出が行える。
さらに、演出装置が画像表示器の上部に位置した際に、当該上部の演出装置の演出物収納部から該画像表示器の前方側に該演出物を落下させるようにしたことで、演出物を画像表示面の前方側に落下させることで演出を行うことができ、画像表示面に表示された表示内容に演出物を深く関連づけてより効果的な演出が可能となる。
すなわち、従来にない斬新な手法で効果的な演出を行うことができ、遊技者の興趣を向上させることができる。
【発明を実施するための最良の形態】
【００１７】
以下、この発明に係る実施形態の遊技機であるパチンコ遊技機について図１〜図１６を参照して説明する。
この実施形態のパチンコ遊技機は、遊技盤１裏面に取り付けられた後述する画像表示装置１０の構造を除いて、周知のパチンコ遊技機と同様の構成を有するものである。
すなわち、図１〜図３に示す遊技盤１の前面側の遊技領域区画壁２（ガイドレール）に囲まれた部分が遊技領域１ａとされ、この遊技領域１ａの前方側が透明なガラス板（図示略）を有する開閉可能なガラス枠（図示略）により遊技領域１ａが視認可能に閉塞されている。なお、遊技盤１は、遊技盤１を取り付けるための略正方形状の開口部を有する前面枠（図示略）に固定される。また、前面枠は、パチンコ遊技機を設置するための島設備に固定される矩形枠状の機枠（図示略）に、一側部が左右に回動自在に軸支された状態で取り付けられる。また、前記ガラス枠は、前面枠に、一側部を回動自在に軸支された状態で、かつ、前面枠の遊技盤１が取り付けられた部分の前面を覆うように取り付けられる。
【００１８】
また、パチンコ遊技機においては、遊技者の操作に基づいて遊技領域内に遊技球を１つずつ順次発射していく発射装置（図示略）を有し、遊技領域内に発射された遊技球が遊技領域内を流下することにより遊技を行うようになっている。すなわち、パチンコ遊技機は、前面側に遊技領域１ａを形成した遊技盤１を備え、該遊技領域１ａに遊技球を流下させて遊技を行うようになっている。また、パチンコ遊技機は、遊技球が入賞した場合に、賞球としての遊技球を払い出す排出装置が設けられている。
【００１９】
遊技盤１の前面側の遊技領域１ａとなる部分には、遊技球が入賞した場合に賞球を払い出す条件だけが成立する一般入賞口３，３、遊技球の流下方向を変動させる障害釘（図示略）や風車４，４と言われる方向変換部材、入賞しなかった遊技球を回収するアウト口１ｃが形成されている。
また、遊技盤１の遊技領域１ａのほぼ中央部に、複数の識別情報（特別図柄：特図）による特図の変動表示ゲームを表示可能な上述の画像表示装置１０を有する変動表示装置５が設けられ、変動表示装置５の下に特図の変動表示ゲームを開始する権利を付与する始動入賞口となる変動入賞装置６が設けられ、その下に特図変動表示ゲームが大当たり結果となった場合に開放される大入賞口を有する特別変動入賞装置７が設けられている。また、遊技盤１には、始動入賞口となる変動入賞装置６に遊技球が始動入賞して特図の変動表示ゲームが未処理となっている未処理回数（特図始動記憶数）を表示する特図記憶表示器が設けられるが、この例においては、変動表示装置５の画像表示装置１０の画像表示面１１に未処理回数が表示される特図記憶表示領域が有り、変動表示装置５（画像表示装置１０）が特図記憶表示器を兼ねている。
【００２０】
また、遊技盤１には、普図変動表示ゲームの始動条件を付与する普図始動ゲート８，８と、普図変動表示ゲームを表示する普通図柄表示器（図示略）と、普図始動ゲート８，８に遊技球が流入・通過して普図変動表示ゲームが未処理となっている未処理回数（普図始動記憶数）を表示する普図記憶表示器（図示略）とが設けられている。なお、この例においては、特図記憶表示器と同様に、普通図柄表示器及び普図記憶表示器をそれぞれ実際の構造として設けることなく、画像表示器１２の画像表示面１１に普通図柄表示領域を設け、この普通図柄表示領域において普通図柄表示器としての表示を行い、同様に画像表示面１１に普図記憶表示領域を設け、この普図記憶表示領域において普図記憶表示器としての表示を行うようになっている。従って、変動表示装置５（画像表示装置１０）が普通図柄表示器及び普図記憶表示器を兼ねている。
また、遊技盤１には、光による演出を行うためのサイドランプ９、９等が設けられている。
【００２１】
また、遊技盤１の裏面側には、図２に示すように画像表示装置１０が配置されるとともに、画像表示装置１０の裏面側に、画像表示装置１０の後述する画像表示器１２（液晶表示パネル）における画像表示を制御する演出制御装置６０を備えている。また、画像表示装置１０及び演出制御装置６０の下側には、後述の遊技制御装置７０（図１３に図示）を遊技盤１の裏面側に取り付けるための遊技制御装置取付部材１ｈが設けられている。なお、演出制御装置６０は、内部で２つの装置に別れており、後述するようにスピーカによる音の演出と、装飾ランプ・ＬＥＤ１５（遊技盤１のサイドランプ９，９を含む）による発光の演出と、後述する画像表示器１２の回転の制御とを行う音・ランプ制御装置８０と、画像表示器１２の表示制御を行う表示制御装置９０とに別れている。なお、演出制御装置６０を、音・ランプ制御装置８０と、表示制御装置９０とに分けずに、１つの演出制御装置６０としても良い。
【００２２】
なお、パチンコ遊技機には、上述の制御装置に加えて、遊技球の入賞に基づく処理や、画像表示器１２における変動表示ゲームの開始、停止の処理や、変動表示ゲームの当り、大当たり、外れの決定の処理や、変動入賞装置６、特別変動入賞装置７の開閉の制御の処理等を行う遊技制御装置７０（図１３に図示）と、遊技球の発射を行う発射装置や、賞球の払い出しを行う排出装置を遊技制御装置７０の制御下で制御する排出・発射制御装置が設けられる。また、遊技制御装置７０は、遊技制御装置取付部材１ｈの位置に取り付けられ、排出・発射制御装置は、遊技盤１より下側に設けられる。
【００２３】
このようなパチンコ遊技機において、変動表示装置５は、図３に示すように、略央部に変動表示装置５を取り付けるための開口部１ｂを有する遊技盤１に取り付けられている。
【００２４】
図１及び図３に示すように、遊技盤１には、その前面の遊技領域１ａ周囲の外側となる部分に遊技領域区画壁２の少なくとも一部を有するサイドケース１ｄが遊技盤１前面の遊技領域１ａの外側を覆うように設けられている。すなわち、ガラス枠のガラス板（二重ガラスの内側のガラス板）の裏面と遊技盤１の前面とサイドケース１ｄの内周面側に設けられた遊技領域区画壁２とで囲まれる部分が遊技領域１ａとなる。
また、遊技盤１には、前記開口部１ｂが変動表示装置５の後述する前面構成部材５１の形状に対応して左右対称で外周が複雑な曲線状に形成されている。遊技盤１の開口部１ｂの内周側は、枠状（筒状）に形成される前面構成部材５１の遊技盤１前面より後方部分が挿入され、遊技盤１の開口部１ｂに挿入された前面構成部材５１の内周となる開口部から、画像表示装置１０の画像表示面１１を前面側に臨ませる表示用窓部５２が形成されている。
すなわち、遊技盤１の開口部１ｂに枠状の前面構成部材５１を取り付けることで、遊技盤１に画像表示装置１０の画像表示面１１を前方に臨ませる表示用窓部５２が形成されることになる。
【００２５】
また、遊技盤１には、前記開口部１ｂの下側に、変動入賞装置６、特別変動入賞装置７等を取り付けるために入賞開口部１ｅが設けられ、入賞開口部１ｅ左右側方に、それぞれサイドランプ９，９及び一般入賞口３，３を取り付けるランプ開口部１ｆ，１ｆが設けられている。また、遊技盤１の開口部１ｂの上部の左右側方には、サイドランプ９，９の上部が配置されるランプ上部開口部１ｇ，１ｇが設けられている。
【００２６】
このような遊技盤１に取り付けられる変動表示装置５は、遊技盤１の開口部１ｂに対して前方側から取り付けられるとともに、画像表示装置１０の画像表示面１１を前面側に臨ませるための前記表示用窓部５２を遊技盤１に設ける前面構成部材５１と、遊技盤１の裏面側に配設される前記画像表示装置１０とを備えている。
【００２７】
従って、この実施形態のパチンコ遊技機は、遊技盤１に形成された表示用窓部５２から画像表示面１１を前面側に臨ませるように画像表示装置１０を該遊技盤１の裏面側に配設したものである。
【００２８】
前記前面構成部材５１は、図１及び図３に示すように、内側が表示用窓部５２とされた枠状（筒状）に形成されている。そして、前面構成部材５１は、遊技盤１の前面側から裏面側に遊技盤１の開口部１ｂに挿入された状態となっており、開口部１ｂの内周に沿って筒状の形状を有し、該筒状の部分の奥側の開口を閉塞するように画像表示装置１０の前面が配置されている。なお、画像表示装置１０の画像表示面１１が配置される前面の表示用窓部５２に対応する部分には、後述の透明な前面カバー２４２が設けられており、この前面カバー２４２を介して表示用窓部５２から画像表示面１１を視認可能となっている。
【００２９】
そして、前面構成部材５１は、その内周となる表示用窓部５２が前方に開放された凹室を形成しており、凹室の底部（後端部）となる部分に上記前面カバー２４２を介して画像表示面１１が配置されるようになっている。すなわち、前面構成部材５１は、筒状に奥行きを持った前方に開口する凹室を形成し、該凹室の奥に画像表示面１１が配置されるようになっている。
【００３０】
また、前面構成部材５１は、変動表示装置５を有する一般的なパチンコ遊技機と同様に、取付基板５３と、鎧部材５４と、図示しないワープ装置と、ステージ５５とを備える。
取付基板５３は、前面構成部材５１の上述の筒状部分の前端部の全周に渡って、鍔状に外側に拡がって形成される。そして、取付基板５３は、変動表示装置５の装飾の一部となっている。そして、取付基板５３の裏面を遊技盤１の前面に当接させることで、遊技盤１に対して前面構成部材５１が位置決めされ、この状態で、取付基板５３を遊技盤１にネジ止めすることにより、遊技盤１に前面構成部材５１が固定されるようになっている。
【００３１】
前記鎧部材５４は、前面構成部材５１の上部において、前方に向かって遊技領域１ａ内に突出して形成され、鎧部材５４の前端が遊技領域１ａの前側を規制するガラス枠の内側のガラス板の裏面近傍に配置される。そして、鎧部材５４は、遊技球が変動表示装置５の上側から表示用窓部５２内に進入するのを防止し、画像表示面１１の視認性を確保するとともに、画像表示面１１を保護するようになっている。さらに、ステージ５５上への遊技球の変動表示装置５上部からの流入を制限するようになっている。
【００３２】
ワープ装置は、変動表示装置５の外部（例えば、変動表示装置５の上方もしくは左右側方）から遊技球を画像表示装置１０内となる表示用窓部５２の底部を構成するステージ５５上に誘導する。
【００３３】
ステージ５５は、筒状の表示用窓部５２となる前面構成部材５１の内周面の下部となる底面を構成するとともに、表示用窓部５２内に前記ワープ装置により誘導される遊技球と外部から撥ねて進入する遊技球をステージ５５上からステージ５５の下の変動入賞装置６に誘導し、ステージ５５上に載った遊技球を他の遊技球より高い確率で変動入賞装置６に入賞させるものである。
【００３４】
画像表示装置１０は、図３、図４に示すように、遊技盤１の裏面側に取り付けられる裏面構成部材２０と、裏面構成部材２０に取り付けられるとともに、回動動作に応じて画像表示面１１の上下左右の関係を変更可能に構成される画像回動装置３０と、画像回動装置３０（の画像表示ユニット３２）を回動させるための電気的駆動源（モータ３４２）とを備えている。なお、モータ３４２は、画像表示ユニット３２を回動させる回動駆動装置３４の一部となる。
また、画像回動装置３０は、回動軸３１が設定され、画像表示面１１およびその周辺を装飾する周辺構成部材３６を有する画像表示ユニット３２と、この画像表示ユニット３２を回動可能に軸支するとともに、該画像表示ユニット３２の裏面側所定部位を収納する収納部材３３とを備えている。
【００３５】
裏面構成部材２０は、前方が開放された概略箱状に形成され、その開放された前端部を遊技盤１裏面に当接させて遊技盤１に固定されるようになっている。なお、裏面構成部材２０の前端部には、複数箇所に遊技盤裏面と平行となる取付板部２１、…が複数設けられ、該取付板部２１、…が遊技盤１裏面にネジ止めされて裏面構成部材２０を遊技盤１裏面に固定するようになっている。
【００３６】
また、裏面構成部材２０は、前方が開放した箱の底部となる裏面板２２に、円形開口部２３が形成されている。この円形開口部２３は、円形の画像表示ユニット３２の前面を臨ませるものであり、画像表示ユニット３２の円形の前面（後述の前方円盤部材３７の前面）の径よりも僅かに大きくなっている。なお、裏面板２２は、前方が開放した概略箱状の底部となることから、遊技盤１の裏面から後方に離間して、遊技盤１の裏面に対して平行に配置される。
【００３７】
裏面板２２前面の円形開口部２３の周縁部には、円周に沿って前方に突出するカバー取付部２４が備えられている。そして、カバー取付部２４には、円周に沿ってほぼ等間隔に四ヶ所にネジ止め部２４１が設けられ、該ネジ止め部２４１においては、円形開口部２３の周縁部が円からずれて少し外方に突出した形状とされ、カバー取付部２４も円に対して外方に突出した状態とされている。そして、このネジ止め部２４１において円から外に突出した空間が後述するローラ２５２の配置空間となっている。
【００３８】
そして、このカバー取付部２４に対応した円形状の前面カバー２４２が、カバー取付部２４に外周縁部を沿わせた状態で取り付けられている。前面カバー２４２は、透明な合成樹脂からなり、画像表示面１１の回転範囲の前側を覆って、画像表示面１１を保護している。なお、前面カバー２４２は、その外周部の前記ネジ止め部２４１に対応する部分が円より外側に突出した形状とされるとともに、突出した部分がネジ止め部２４１にネジ止めされている。また、前面カバー２４２のネジ止め部２４１に対応する４つの突出部分同士の間となる四ヶ所に円より内側に円周に沿って凹んだ形状の凹部が形成され、前面カバー２４２の凹部の周縁と、カバー取付部２４の内周縁との間に円弧状の間隙部２４３が形成されている。
【００３９】
前面カバー２４２は、筒状の前面構成部材５１の後端面に当接もしくは近接して、前面構成部材５１の前記凹部の底部となるが、前面構成部材５１の内周の径よりも前面カバー２４２の径が大きくされ、前記間隙部２４３は、前面構成部材５１の内周となる表示用窓部５２よりも外側となり、表示用窓部５２から見えないようになっている。そして、後述するように画像表示器１２を備える画像表示ユニット３２は、裏面構成部材２０及び収納部材３３にほぼ全体を覆われた状態となるが、上述の間隙部２４３により発熱する画像表示器の熱を効果的に排熱できるようになっている。
【００４０】
また、裏面構成部材２０の裏面板２２の裏面には、円形開口部２３の外周（円周）に沿って後方側に円形状に立設した円形壁部２５が形成されている。円形壁部２５は、収納部材３３の円形状の後述する周囲壁部３３１の前端部とほぼ同じ径に形成されている。
なお、裏面構成部材２０の裏面板２２の前側のカバー取付部２４と、裏面側の円形壁部２５と、円形開口部２３とは、同心円状に配置されるが、円形壁部２５の方がカバー取付部２４よりも僅かに大きな径に形成されている。従って、裏面板２２において円形壁部２５は、円形開口部２３の周縁より僅かに外側に配置される。
【００４１】
円形壁部２５の後端面は、裏面構成部材２０に収納部材３３を取り付けた際に、収納部材３３の周囲壁部３３１の前端面と当接し、円形壁部２５と周囲壁部３３１とで一体の筒となるようになっており、この筒内に、画像表示ユニット３２が配置されるようになっている。すなわち、裏面構成部材２０に収納部材３３に対応して後方側に円形状に立設した円形壁部２５を形成することで、収納部材３３を裏面構成部材２０に取り付けた際に、内部に画像表示ユニット３２が収納される収納空間を形成するように構成されている。
【００４２】
また、円形壁部２５には、上述のカバー取付部２４のネジ止め部２４１と前後に重なる四ヶ所の位置にそれぞれローラ取付部２５１，…が形成されている。
ローラ取付部２５１，…には、それぞれ、筒状のローラ２５２，…を回転自在に支持する支持軸（図示略）が前後方向に沿って固定されている。そして、支持軸が筒状のローラ２５２に貫通した状態で、支持軸がローラ２５２を支持軸の軸回りに回転自在に支持している。また、円形壁部２５のローラ取付部２５１において、支持軸の後部が円形壁部２５の後端面より後方に突出している。そして、ローラ取付部２５１は、支持軸の後部の周囲を覆う筒状の支持軸固定部を有し、支持軸固定部が円形壁部２５の他の部分より後方に突出した状態となっている。一方、支持軸の前部は、裏面板２２の円形開口部２３を介して裏面板２２より僅かに前方に突出して露出した状態となっている。
【００４３】
ローラ２５２，…は、前記ローラ取付部２５１に対応して設けられるが、例えば、円形壁部２５の真上となる位置を０度とした場合に、約４５度、約１３５度、約２２５度、約３１５度というようにほぼ９０度置きに配置されている。また、ローラ２５２，…は、その外周面の円形壁部２５の内側となる中心側を向いた部分が円形壁部２５、カバー取付部２４及び円形開口部２３の内周面より僅かに内側に配置されており、図１０に示すように、円形壁部２５及びカバー取付部２４の内側に配置される画像表示ユニット３２の前方円盤部材３７の前面側に設けられた後述する演出装置１００およびカバー部材１０４の外周に接触可能となっている。なお、画像表示ユニット３２の前面の前後位置は、ほぼ、裏面構成部材２０の裏面板２２より僅かに前の位置となり、画像表示ユニット３２の前端部が裏面板２２の円形開口部２３内に入った状態となっている。
【００４４】
また、前記前面カバー２４２は、裏面板２２から前方に突出したカバー取付部２４の前端面に取り付けられるので、前面カバー２４２は、裏面板２２より僅かに前となるが、遊技盤１の裏面からは、後方に離間し、遊技盤１の裏面から後方に突出する前面構成部材５１の後端部に近接もしくは当接した状態となる。
従って、ローラ２５２，…は、前記ローラ取付部２５１の位置である円形壁部２５の内周所定部位に設けられ、画像表示ユニット３２の前方円盤部材の前面側に設けられた後述する演出装置１００およびカバー部材１０４の円周部（外周部）と接触して前方円盤部材３７を回動可能に支持している。
【００４５】
裏面板２２の裏面側の円形壁部２５の周囲には、円形開口部２３の中心回りに６０度毎にネジ止めボス２５３，…が配置されている。該ネジ止めボス２５３，…は、裏面構成部材２０の裏面板２２に収納部材３３を固定するためのものである。
また、裏面板２２の円形壁部２５に近接する位置には、モータ取付部２６が設けられている。
【００４６】
モータ取付部２６は、円形壁部２５に隣接する位置に設けられ、この例では、左右に長い略矩形状の裏面構成部材２０の後方から見て右下隅部に形成されている。そして、モータ取付部２６は、裏面板２２から後方に延出するように立設された囲い壁２６１を有する。囲い壁２６１は、画像表示ユニット３２を回転駆動するモータ３４２の回転軸に固定された駆動ギア３４１の周囲を囲むように形成さているが、駆動ギア３４１の円形壁部２５側の一部は、円形壁部２５より後方側において、円形壁部２５の内側に入り込んだ状態となっており、囲い壁２６１は、駆動ギア３４１の周囲のうちの円形壁部２５及びその内側と重なる部分を除く部分を囲むように形成され、円形壁部２５に臨む部分は開放した状態となっている。
【００４７】
囲い壁２６１の周囲には、モータ３４２が固定された固定プレート３４３を取り付けるための複数のモータ取付ボス２６２，…が設けられている。なお、囲い壁２６１の一部及び複数のモータ取付ボス２６２のうちの一部は、裏面板２２ではなく、裏面板２２の下側に形成される後述の回収球流路部材２８，２８の裏面から後方に立設されている。
固定プレート３４３は、遊技盤１裏面と平行となるように囲い壁の後端面に当接するように配置され、モータ取付ボス２６２にネジ止めされている。また、固定プレート３４３は、その本体部の後方から見て右側の側縁部に本体部に対して直角に前方の屈曲する屈曲部を有し、該屈曲部が囲い壁２６１の外側に形成されたスリットを有する固定部のスリットに挿入されて位置決めされた状態となっている。
【００４８】
また、固定プレート３４３の裏面側にモータ３４２の前面がネジ止めされた状態で固定されるとともに、モータ３４２の回転軸が固定プレート３４３に対して直交するように固定プレート３４３の裏面側から前面側に貫通して固定プレート３４３の前方に延出している。
そして、モータ３４２の回転軸には、駆動ギア３４１が固定されている。なお、回転軸の先端部は、裏面板２２の近傍まで延出しているが、駆動ギア３４１は、回転軸の基部側に固定され、前記ローラ２５２の支持軸の後端部より後方に配置されている。また、駆動ギア３４１の中心部の回転軸が固定される部分は、細長い筒状に形成されているとともに、駆動ギア３４１の本体よりも前方に延出し、回転軸の駆動ギア３４１より前側の部分全体を覆うことにより、回転軸に強固に固定されている。
【００４９】
また、この例において、電気的駆動源となるモータ３４２は、回転軸の回転角度を精密に制御可能なステッピングモータが用いられている。ステッピングモータは、駆動用の電力がパルスで入力され、入力されるパルス数で回転角度を制御可能で、かつ、パルスの間隔で速度を制御可能となっている。そして、モータ３４２は、演出制御装置６０の音・ランプ制御装置８０に制御されるようになっている。
そして、駆動ギア３４１は、一部が上述のように円形壁部２５の後方側で円形壁部２５の内側となっているので、裏面構成部材２０に収納部材３３を取り付けた場合に、駆動ギア３４１の一部は、収納部材３３の周囲壁部３３１における後述の開口部３３２の位置で、周囲壁部３３１の内側に配置される。
【００５０】
そして、モータ３４２と、モータ３４２に回転軸に固定された駆動ギア３４１とから回動駆動装置３４が構成され、該回動駆動装置３４が画像表示ユニット３２を回転駆動するようになっている。
【００５１】
そして、周囲壁部３３１の駆動ギア３４１が入り込む部分には、開口部３３２（図５に図示）が形成されている。なお、開口部３３２は、周囲壁部３３１と円形壁部２５とを合わせた際に穴状の開口部３３２となるが、周囲壁部３３１単独では、切欠部となっている。従って、裏面構成部材２０には、収納部材３３の周囲壁部３３１に形成された開口部３３２から駆動ギア３４１が周囲壁部３３１と円形壁部２５との内側となる収納空間内に臨むように回動駆動装置３４が配置されている。
【００５２】
また、裏面構成部材２０の後方から見て左端部には、収納部材３３の後方から見て左側部より後方に演出制御装置６０を配置するための演出制御取付部２７が設けられている。
演出制御取付部２７には、前方に開放するとともに後方に突出する箱状の凸部が裏面構成部材の上下に渡って複数形成されるとともに、凸部の後端面に演出制御装置６０のケースの前面が当接する固定リブ２７１が上下に一直線上に並んで形成されている。
また、固定リブ２７１の後方から見て左側には、上下に並んで複数のネジ止めボス２７２，２７２が形成され、該ネジ止めボス２７２に演出制御装置６０のケースがネジ止めされるようになっている。
【００５３】
なお、演出制御取付部２７は、演出制御装置６０の後方から見て左側部を固定するようになっており、演出制御装置６０の右側部は、後述するように収納部材３３に固定される。
また、裏面構成部材２０の下部の左右には、それぞれ、一般入賞口３から入賞した遊技球を流入させて下側の遊技球回収経路に導出する回収球流路部材２８，２８が一体に設けられている。なお、回収球流路部材２８，２８には、一般入賞口センサ３ａ，３ａが取り付けられるようになっている。
また、裏面構成部材２０の背面板の前面には、その上端部の左右にサイドランプ９，９の上部の構成要素となる盤面用ＬＥＤ基板（図示略）が設けられている。盤面用ＬＥＤ基板は、その前面に電気的発光部材としてのＬＥＤを複数搭載されている。また、盤面用ＬＥＤ基板は、円形開口部２３の上部の左右側方に配置されるとともに、裏面構成部材２０を遊技盤１に取り付けた際に、遊技盤１のランプ上部開口部１ｇ，１ｇと重なり、ランプ上部開口部１ｇ，１ｇに取り付けられたレンズ部材を後方からＬＥＤにより照らすようになっている。なお、サイドランプ９，９の上端部を除く本体は、遊技盤１のランプ開口部１ｆ，１ｆに電気的発光部材を搭載した基板や、レンズ部材等が取り付けられるようになっている。
【００５４】
画像表示ユニット３２は、図４〜図１２に示すように、画像表示面１１を有する画像表示器１２が前面側に配設されるとともに、前記回動軸３１が設けられる円盤状の後方円盤部材３５と、この後方円盤部材３５の前方側に配設され、周辺構成部材３６が設けられるとともに、画像表示器１２の画像表示面１１を臨ませる表示用開口部３８が形成される円盤状の前方円盤部材３７とから構成される。また、前方円盤部材３７と後方円盤部材３５との間に画像表示器１２が位置するように該前方円盤部材３７と後方円盤部材３５との間に所定間隔を設けて相互に取り付けられている。
【００５５】
後方円盤部材３５は、透明な合成樹脂からなる円盤状の後方円盤部材本体３５１と、その前面側に配設される画像表示器１２と、後方円盤部材本体３５１の前面から後方に貫通した状態の回動軸３１と、後方円盤部材３５の常態（原点位置）における下部の周縁部に取り付けられたギア部３９と、画像表示ユニット３２の回転角度を規制するための突起部材４０と、画像表示ユニット３２が後述する特定の角度となったことを光学的に検出するための遮光板４１と、画像表示器１２の導線を中継する第１中継基板４２とを有するものである。
【００５６】
後方円盤部材本体３５１は、前方円盤部材３７より僅かに小さな径の円盤状に形成され、裏面側の中央に回動軸３１を固定する固定筒部３５ａが後方に突出して形成され、回動軸３１の前端部が固定筒部３５ａ内に挿入されて固定され、さらに前面側に画像表示器１２が固定されている。すなわち、後方円盤部材本体３５１は、前方側に画像表示器１２を配設するとともに、後方側に回動軸３１を突設したものである。
また、後方円盤部材本体３５１の裏面の外周部には、後述のギア取付部３５ｄを除いて外周に沿って後方に突出する補強用のリブ３５４が形成されている。なお、リブ３５４は、後方円盤部材本体３５１の前方円盤部材３７とのネジによる接合部に隣接する位置において、後方円盤部材本体３５１の外周から内側に離れる凹部状に形成され、前記接合部をさらに補強するようになっている。
また、後方円盤部材本体３５１の径は、左右に長い矩形状の画像表示器１２の外接円の径より僅かに長いものとなっている。
【００５７】
図４，９に示すように、後方円盤部材本体３５１の裏面には、原点位置（図４，９に示す状態）で真上を０度として、後方円盤部材本体３５１の裏面側から見て０度および１８０度となる半径の略中央の位置に、矩形状の開口部３５ｃが形成されている。この開口部３５ｃは、後述する演出装置１００の開閉部材１２１を駆動するための被伝達部材１２３の被伝達部１２５を、後方円盤部材本体３５１の裏面に露出させるためのものである。なお、図１０に示すように、開口部３５ｃの後方円盤部材本体３５１の裏面側の外周は、裏面側に向かって拡径するテーパとなっており、後述する駆動装置１２９の伝達部材１３０が、開口部３５ｃ内に配される被伝達部１２５を確実に押圧できるようになっている。
【００５８】
また、時計回りに９０度の位置には、後方に突出するリブで囲まれた中継基板取付部４２ａが形成され、中継基板取付部４２ａには、第１中継基板４２が取り付けられるようになっている。さらに、反時計回りに略４５度の位置には、突起部材基部４０ａが形成され、この突起部材基部４０ａに突起部材基部４０ａと共に突起部材４０を構成する筒状の金属部材４０ｂが取り付けられるようになっている。
【００５９】
また、後方円盤部材本体３５１の原点位置での最下端となる位置から円周（外周）に沿って左右に所定角度（後方円盤部材本体３５１の裏面側から見て右側に約４５度、左側に約１３５度）の範囲で、かつ、外周縁から僅かに内側となる位置に、円周に沿って設けられ、かつ、後方に突出するリブによりギア取付部３５ｄが形成されている。このギア取付部３５ｄにギア部３９となる部材が取り付けられる。なお、ギア取付部３５ｄのリブの両端部は、半径方向に沿うように屈曲して、後方円盤部材本体３５１の周縁に至るように形成されている。
【００６０】
また、後方円盤部材本体３５１の裏面側には、前記突起部材基部４０ａと固定筒部３５ａ（回動軸３１）とを結ぶ後方円盤部材本体３５１の半径方向に沿った線分上に、後方に突出するリブで囲まれた遮光板取付部３５ｆが形成され、遮光板取付部３５ｆに遮光板４１が取り付けられるようになっている。
【００６１】
また、後方円盤部材本体３５１の前面側には、画像表示器１２の四隅部に対応する位置に４つのネジ止め部が形成され、該ネジ止め部にそれぞれネジ用の貫通孔３５ｇ，…が形成されている。
【００６２】
また、図１０に示すように、後方円盤部材本体３５１の前面側の外周部には、ほぼ９０度毎に４つのネジ止め筒部３５ｈ，…が形成されている。このネジ止め筒部３５ｈ，…は、前方円盤部材３７とのネジによる接合部となるもので、ネジ用の貫通孔を有するとともに、後述する前方円盤部材３７の取付ボス３７２，…の先端部が挿入可能な筒状に形成されており、後方円盤部材３５と前方円盤部材３７との取付時に容易に位置決めできるようになっている。
【００６３】
画像表示器１２は、この例において、前方円盤部材３７と後方円盤部材３５との間に配置されることからパネル状である必要があり、ＬＣＤやＥＬ等のパネル状のディスプレイを用いることができるが、この例ではＬＣＤを用いている。すなわち、画像表示器１２は、液晶表示パネルにより構成されている。なお、画像表示器１２には、液晶表示パネル用の導線と、バックライト用の導線とが接続されており、これらの導線は、後方円盤部材本体３５１の前面側の画像表示器１２から後方円盤部材本体３５１の裏面側に配置された第１中継基板４２まで後方円盤部材本体３５１に形成された導線用のスリット及び孔を通って引き回されている。
回動軸３１は、金属製で、画像表示ユニット３２を遊技盤１に配置した状態で、演出制御装置６０よりも後方まで延出するように長く形成されている。例えば、回動軸３１の長さは、後方円盤部材本体３５１の半径の２／３より長く、半径より僅かに短いものとなっている。
【００６４】
ギア部３９は、後方円盤部材本体３５１の上述のギア取付部３５ｄに取り付けられる円弧状の合成樹脂製の部材で、円弧の外周側となる側縁部に山と谷とを繰り返す歯車の歯が多数形成されている。また、後方円盤部材本体３５１にギア部３９を取り付けた状態で、ギア部３９の歯となる部分は、後方円盤部材本体３５１の外周よりも外側に配置される。これにより、後方円盤部材３５の下部の外周に歯車の歯が形成された状態となる。この後方円盤部材３５の歯は、上述の駆動ギア３４１と歯合する（噛み合う）ようになっている。
【００６５】
従って、画像表示ユニット３２を回動させるための駆動ギア３４１と歯合するギア部３９を当該後方円盤部材３５の周縁部所定範囲に設けたことになる。
また、駆動ギア３４１は、後方円盤部材３５の斜め下側に配置され、後方円盤部材３５の真上となる方向を０度とした場合に、駆動ギア３４１は、後方円盤部材３５の裏面側から見て時計回りに略１３５度（所定角度）となる部分で噛み合うようになっている。また、後方円盤部材３５は、この例において、例えば、前面側から見て原点位置から右回り（時計回り）に１８０度回転するように設計されており、ギア部３９は、後方円盤部材３５の１３５度より僅かに手前から３１５度より僅かに先まで形成されている。
【００６６】
以上のようにギア部３９を配置するとともに駆動ギア３４１を配置することで、モータ３４２の駆動により、画像表示器１２の左右に長い矩形状の画像表示面１１を左右に長い横の状態から上下に長い縦の状態を経由して、再び左右に長い横の状態（画像表示面１１の上下左右の関係を反転）となるように１８０度回転することが可能となる。
【００６７】
突起部材４０は、上述のように１８０度の範囲で回転する画像表示ユニット３２を２カ所の所定位置（原点位置と、原点位置から１８０度だけ時計回りに回った回転位置）で止めるためのもので、原点位置と回転位置とにおいて、突起部材４０は、ストッパとなる収納部材３３に形成された回動規制部材４４１，４４２に当接するようになっている。
また、突起部材４０は、後方円盤部材本体３５１の回転中心から半径方向に後方円盤部材本体３５１の半径の半分より長い距離（所定間隔）だけ離れて配置されている。この例では、前記半径の２／３程度の後方円盤部材本体３５１の回動中心より離れた位置に突起部材４０が形成されている。
【００６８】
また、後方円盤部材本体３５１に形成された上述の突起部材基部４０ａに円筒状の金属部材４０ｂを金属部材４０ｂを貫通するネジで固定することで、全体として円柱状の突起部材４０が後方に突出して形成される。また、金属部材４０ｂは、磁石に吸着される強磁性体（例えば、鉄）から構成されている。
【００６９】
そして、後方円盤部材３５の裏面が画像表示ユニット３２の裏面を構成することから、画像表示ユニット３２の裏面側であって回動中心から外側に所定間隔離れた位置に、後方側に向けて突起部材４０を突設したことになる。また、突起部材４０は金属部材４０ｂを有する。
【００７０】
遮光板４１は、後方円盤部材本体３５１の裏面に沿って配置される取付板４１ａと、取付板４１ａから後方に突出するように立設された遮光板本体４１ｂからなる。
また、遮光板４１は、遮光板取付部３５ｆに取り付けた状態で、後方円盤部材本体３５１の回動中心と突起部材４０との間に配置される。
また、遮光板本体４１ｂは、遮光板４１の配置における回動中心からの距離に対応した半径の円弧板状に形成されている。そして、遮光板本体４１ｂの原点位置から回転位置への回転方向（往路）の後尾側端部（復路の先端側端部）は、後方円盤部材本体３５１の回動中心と突起部材４０とを結ぶ線状に配置され、往路の先頭側端部は、後尾側端部に対して１ｃｍほど回転方向の前側に配置されている。
【００７１】
第１中継基板４２は、上述のように、後方円盤部材本体３５１の裏面側の中継基板取付部４２ａに取り付けられ、後方円盤部材本体３５１の前面側の画像表示器１２のＬＣＤ用導線とバックライト用導線とが接続される。また、第１中継基板４２からは中継されたＬＣＤ用導線が収納部材３３の後述する第３中継基板３３ｃに接続され、中継されたバックライト用導線が後述する第２中継基板３３ｂに接続されている。
【００７２】
図４に示すように、前方円盤部材３７は、前方円盤部材３７を後方円盤部材３５に取り付けるための取付ボス３７２，…が後方側に立設された前方円盤部材本体３７１と、前方円盤部材本体３７１の前面側に設けられ、周辺構成部材３６を構成する演出装置１００とを備えている。
【００７３】
前方円盤部材本体３７１は、後方円盤部材本体３５１より僅かに大きな径を有する円盤状に形成されている。なお、前方円盤部材本体３７１の径は、後方円盤部材３５のギア部３９の歯の頂点から回転中心までの距離とほぼ等しくなっている。
前方円盤部材本体３７１の裏面の外周部には、円周に沿って後方に突出する円環状の外周リブ３７３が形成されている。また、前方円盤部材３７の裏面側において、後方円盤部材本体３５１のネジ止め筒部３５ｈに対応する外周部のほぼ９０度ずつ間隔を開けた位置にそれぞれ取付ボス３７２，…が形成されている。取付ボス３７２，…は、前方円盤部材本体３７１の裏面と後方円盤部材本体３５１の前面との間に、画像表示器１２を配置可能な長さを有するもの、すなわち、画像表示器１２の厚みより僅かに長いものとなっている。また、前方円盤部材本体３７１には、画像表示器１２の画像表示面１１を前面に臨ませる矩形状の表示用開口部３８が形成されている。表示用開口部３８は、ワイド画面となっている画像表示面１１に対応して、例えば、縦横比が９：１６等の横長となっているとともに、ほぼ前方円盤部材本体３７１の上下左右の真ん中となるように配置されている。また、前方円盤部材本体３７１の表示用開口部３８の周縁部には、表示用開口部３８の全周に渡って後方に突出する開口リブ３８１が形成されている。
【００７４】
また、図５から図１２に示すように、前方円盤部材本体３７１の前面は、画像表示面１１を露出させる表示用開口部３８を除いて、周辺構成部材３６の構成要素の１つとなっている演出装置１００が設けられている。
演出装置１００は、画像表示器１２の前方側に演出物１０２を落下させて演出を行うものであり、演出物１０２を収納する演出物収納部１０１と、演出物収納部１０１の開口部１０３を開閉する開閉装置１２０と、画像表示器１２の前面側に演出物１０２が落下する空間を形成するカバー部材１０４とからなる。
【００７５】
図５，７，８に示すように、演出装置１００は、長方形状の画像表示面１１の２本の長辺側に配されている。すなわち、長方形の画像表示面１１が横長の状態において、画像表示面１１の上辺の上方と、下辺の下方にそれぞれ配されており、図７に示すように、画像表示面１１の上部に位置する演出装置１００の演出物収納部１０１の内部に収納した演出物１０２を、図８に示すように、画像表示面１１の前方側に落下させるとともに、画像表示面１１の下部に位置する演出装置１００の演出物収納部１０１によって落下した演出物１０２を回収し、収納するようになっている。なお、この上下の演出装置１００は同じ構成を有するものであり、以下、図７に示す状態における上下関係で、画像表示面１１の上方にある演出装置１００について説明する。
【００７６】
演出装置１００は、演出物１０２を収納する演出物収納部１０１と、演出物収納部１０１に設けられた開口部１０３を開閉する開閉装置１２０とを有する。
演出物収納部１０１は、図５、１０に示すように前方円盤部材本体３７１の前面側の周辺構成部材３６から前面側に突出するように設けられている。この演出物収納部１０１は、画像表示面１１の長辺よりも上方にあって長辺に平行な直線と、この直線よりも上方にある前方円盤部材本体３７１の外周に沿った円弧を外周とし、演出物収納部１０１の前面、後面をなすＤ字型の板状の部材である前壁部材１０６、後壁部材１０７を有する。そして、このＤ字型の前壁部材１０６および後壁部材１０７の外周に沿って、前壁部材１０６および後壁部材１０７の板面に対して垂直に接続し、前壁部材１０６と後壁部材１０７を連結して演出物収納部１０１の側面となる板状の部材として、円弧部分に設けられる円弧板１０８と、直線部分に設けられる底板１０９とを有する。すなわち、演出物収納部１０１は、前壁部材１０６、後壁部材１０７、円弧板１０８、底板１０９によって形成されたＤ字型の容器であって、図１０に示すように、この内部の空間に演出物１０２が収納されている。なお、演出装置１００は透明な材質からなり、内部に収納された演出物１０２が視認可能となっている。
【００７７】
また、底板１０９には、直線部分の側面の長さ方向に沿ってスリット状に、前後方向の略中央部に画像表示面１１の長辺の長さよりわずかに短い範囲に渡って開口部１０３が形成されており、ここから演出物１０２を画像表示面１１方向に落下できるようになっている。なお、開口部１０３の長さは画像表示面１１の長辺の長さより長くても良い。
また、画像表示面１１の下方に位置する演出装置１００では、この開口部１０３から演出物１０２を演出物収納部１０１内に収納する。
【００７８】
図７に示すように、底板１０９の演出物収納部１０１の内壁面をなす面は、開口部１０３の左右の端部より外側となる部分が、開口部１０３に向かって下る斜面となっている。さらに、図１０に示すように、前壁部材１０６、後壁部材１０７の演出物収納部１０１の内壁面をなす面は、開口部１０３の近傍となる部分が開口部１０３に向かって下る斜面となっており、演出物収納部１０１内の演出物１０２を開口部１０３に向けて誘導できるようになっている。また、底板１０９の演出物収納部１０１の外壁面をなす面は、開口部１０３の周りを囲む前後左右の面のそれぞれが、開口部１０３に向かって上る斜面となっている。すなわち、演出装置１００が画像表示面１１の下側に位置した際には、開口部１０３に向かって下る斜面となっており、上方から落下した演出物１０２を開口部１０３に誘導し、効率よく回収できるようになっている。
【００７９】
以上のことから、演出装置１００は、長方形状の画像表示面１１の長辺側に各々配設し、該画像表示面１１の長辺に沿って延在したこととなる。
また、一対の演出装置１００は、いずれも演出物収納部１０１の演出物１０２を落下および収納可能に構成したこととなる。
【００８０】
開閉装置１２０は、演出物収納部１０１の開口部１０３を開閉するためのものであって、開口部１０３に配される開閉部材１２１と、開閉部材１２１を駆動する駆動装置１２９と、駆動装置１２９の駆動力を開閉部材１２１に伝達する被伝達部材１２３と、開閉部材１２１の動作を規制する規制手段１２６とからなる。
【００８１】
図１２に示すように、開閉部材１２１は、開口部１０３と略同じ左右幅を有する板状の部材であり、演出物１０２が通過可能な複数の孔１２２が開口部１０３の形状に合わせて直線状に配されたもので、図１０に示すように、演出物収納部１０１の開口部１０３に形成された開閉部材摺動部１０５に前後方向に可動自在となるように取り付けられている。
開閉部材１２１の可動範囲は後述する規制手段１２６によって規制されており、前方向は、図１１に示すように、孔１２２が設けられた部分が開口部１０３と重なり、開口部１０３が開放される部分までとなっている。また、後方向は、図１０に示すように、孔１２２が設けられた部分が開口部１０３から完全に退避し、開閉部材１２１の板面で開口部１０３が完全に覆われ、開口部１０３が閉鎖された状態となる部分までとなっている。
【００８２】
また、図１０から図１２に示すように、開閉部材１２１の後端面となる側面の中央部には、開閉部材１２１の長さ方向に対して垂直に、後方に向かって延在する被伝達部材１２３が形成されている。この被伝達部材１２３は、後述する駆動装置１２９の駆動力を受けて開閉部材１２１に伝達するためのものであり、前方円盤部材本体３７１の開閉装置１２０が配される位置に形成された貫通孔３７ｂ、後方円盤部材本体３５１に形成された開口部３５ｃを貫通し、画像表示ユニット３２の裏面側まで達している。被伝達部材１２３の後端部は、上下幅が広くなった被伝達部１２５となっており、この被伝達部１２５の後端面は、後方円盤部材本体３５１の後面と同一平面となるようになっている。そして、この被伝達部１２５に、収納部材３３に設けられた後述する駆動装置１２９の可動部分である伝達部材１３０が当接するようになっている。また、被伝達部材１２３の上面の中程には、板面が開閉部材１２１に対して垂直、かつ、開閉部材１２１の長さ方向に平行となった板状の部材である押圧部１２４が形成されている。この押圧部１２４は、後述する規制手段１２６の内部に配され、開閉部材１２１の動作を規制するためのものである。
【００８３】
規制手段１２６は、図１０に示すように、前方円盤部材本体３７１の裏面側で、被伝達部材１２３が挿通される貫通孔３７ｂが形成された部分に設けられ、通常時において開閉部材１２１を、開口部１０３を閉鎖する状態に保つ役割を有する。この規制手段１２６は、被伝達部材１２３を挿通可能で、被伝達部材１２３の押圧部１２４を格納できる空間を有し、押圧部１２４を押圧する復帰バネ１２７と、開閉部材１２１の前後方向の可動範囲を規制する規制部１２８とを有する。復帰バネ１２７は、規制手段１２６の前面側の内壁と押圧部１２４の前面側の板面との間に配され、両者を互いに離す方向に付勢している。すなわち、押圧部１２４は常に後方に向かって付勢されており、開閉部材１２１に形成された孔１２２が演出物収納部１０１の開口部１０３よりも後方に退避し、開閉部材１２１の板面で開口部１０３を塞いで閉鎖した状態となる。また、この状態において規制部１２８が押圧部１２４の後方側の板面に当接して、開閉部材１２１がこれ以上後方へ移動することを規制している。よって、通常時において開閉部材１２１は開口部１０３を閉じる状態に保持される。
【００８４】
そして、後述するように、画像表示ユニット３２が回動し、特定の回動位置となった際に、図１１に示すように、駆動装置１２９の伝達部材１３０が伸張し、被伝達部材１２３の被伝達部１２５が伝達部材１３０によって前面側に押圧されると、開閉部材１２１が前面側に摺動し、開閉部材１２１に形成された孔１２２と演出物収納部１０１の開口部１０３が重なって、図８に示すように演出物１０２が落下可能となる。このとき、規制手段１２６の規制部１２８が被伝達部１２５の前部に当接し、開閉部材１２１がこれ以上前方へ移動することを規制している。伝達部材１３０が退縮すると、復帰バネ１２７によって押圧部１２４が後方に付勢されているため、開閉部材１２１が後方へ摺動し、開閉部材１２１の孔１２２が形成された部分が演出物収納部１０１の開口部１０３から退避して再び開口部１０３が閉じた状態となる。
【００８５】
なお、画像表示面１１の下方にある演出装置１００においても、上述と同様の開閉動作が行われるようになっている。すなわち、通常時においては開閉部材１２１が開口部１０３を閉じる状態に保持されている。そして、画像表示面１１の上方にある演出装置１００を駆動する駆動装置１２９が動作するのと同時に、画像表示面１１の下方にある演出装置１００を駆動する駆動装置１２９も動作して開口部１０３を開放し、落下した演出物１０２を開口部１０３から演出物収納部１０１内に収納するようになっている。
【００８６】
以上のことから、演出装置１００は、画像表示面１１の周辺を構成する周辺構成部材３６から前方に突出状に演出物収納部１０１を形成して構成し、該演出物収納部１０１における画像表示面１１側には、演出物１０２を落下および収納するための開閉装置１２０を設けたこととなる。
【００８７】
図７、１０に示すように、画像表示器１２の前面側であって、一対の演出装置１００，１００の間には、図６に示すカバー部材１０４が、例えばネジによって取り付けられている。このカバー部材１０４は、透明な材質からなるコ字形の部材で、前面側となる平面の上下の平行な辺は、演出装置１００の直線部分と同じ長さとなっており、左右の曲線となった辺は、前方円盤部材本体３７１の外周と同じ曲率となっている。上下の平行な辺の間隔は、一対の演出装置１００，１００の間隔と同じ間隔となっており、一対の演出装置１００，１００の間にちょうど収まるようになっている。また、曲線となった辺には、前面側となる平面に対して垂直に突出する側面が形成されており、一対の演出装置１００，１００の外周の曲線部分（円弧板１０８，１０８）とで前方円盤部材本体３７１と同じ半径を有する円が形成されるようになっている。また、カバー部材１０４の前後幅は、演出装置１００の前後幅と同じ幅となっており、画像表示ユニット３２の前面は、一対の演出装置１００，１００とカバー部材１０４によって段差のない平面が形成されるようになっている。すなわち、このカバー部材１０４を取り付けた状態においては、一対の演出装置１００，１００とカバー部材１０４とで、前方円盤部材本体３７１と同じ半径の円盤状容器を形成するようになっている。そして、このカバー部材１０４によって画像表示器１２の前面側に空間が形成され、この空間内で演出物１０２を落下させて演出を行うようになっている。また、この空間は密閉された空間となっており、落下する演出物１０２が外部に出ないようになっている。
【００８８】
なお、上述した演出装置１００においては、演出装置１００自体、または、演出装置１００の背面にＬＥＤなどの発光部材を配して演出装置１００を装飾するようにしても良い。
また、演出装置１００は透明な材質からなり、内部に収納された演出物１０２を視認可能としたが、不透明な材質で形成して内部に収納された演出物１０２が見えないようにしても良い。
また、前方円盤部材本体３７１の表示用開口部３８に透明な材質からなるカバーを設け、画像表示面１１を保護するようにしても良い。特に、表示用開口部３８の周縁部に形成された開口リブ３８１の段差をなくすように、表示用開口部３８が周辺構成部材３６の演出装置１００が設けられていない部分と同一平面を形成するようにカバーを設ければ、演出物１０２が開口リブ３８１上に残ってしまうことを防止できる。
また、演出物１０２としては、落下、収納を容易にするために、例えば、樹脂製のビーズ状のもののように、適度な重量を有するものが好ましいが、演出効果を高めるためには、できるだけ軽量なものを用いて落下時間を長くするのが良い。また、演出物１０２が落下時に回転、方向転換などをするように、例えば、粒状の部材に羽状の部材を取り付けたものとして、演出効果を高めるようにしても良い。また、画像表示面１１の表示として、例えば、背景で花吹雪が舞う表示をしたり、変動表示ゲームの識別情報としての数字を花形のドットで表示するようにしたりするのに関連付けて、花びら状の演出物１０２を落下させるなど、画像表示面１１の表示と関連付けた演出物１０２を落下させることで演出効果を高めるようにしても良い。
また、開閉装置１２０の動作として、例えば、開閉部材１２１を前後方向に振動させたり、開口部１０３の開閉を繰り返すようにしたりして、演出物１０２を画像表示面１１の前方側に少量ずつ落として演出効果を高めるようにしても良い。
また、開閉部材１２１に形成した孔１２２の形状を矩形状の孔を複数配列するとしたが、演出物１０２の形状によって、例えば、孔１２２の形状を円またはその他の形状としたり、開口部１０３と同じようにスリット状の孔を長さ方向に渡って設けたりしても良い。
また、開閉部材１２１の前後動作を円滑にするために、演出装置１００に開閉部材１２１を動作方向に沿って案内するガイドを設けたり、開閉部材１２１の長さ方向に沿って被伝達部材１２３を複数箇所に設け、駆動装置１２９によって各被伝達部材１２３を同時に駆動するようにしたりしても良い。
また、駆動装置１２９として伸縮可能な伝達部材１３０を有するソレノイドとしたが、モータ等の他の駆動装置によって開閉部材１２１を前後に動作させるようにしても良い。
【００８９】
図４，５に示すように、収納部材３３は、概略円盤状の背面板３３３と、この背面板３３３の外周部から前方に円筒状に突出する周囲壁部３３１と、背面板３３３の裏面中央部から後方に突出する中空ボス３３４と、背面板３３３の前面となる収納部材３３の内面に設けられる第１及び第２回動規制部材４４１，４４２と、画像表示ユニット３２の回動動作を停止させるために当該画像表示ユニット３２（モータ３４２）の回動位置を検出する検出手段となる第１及び第２位置検出装置４６１，４６２とを有する。
また、収納部材３３は、背面板３３３に上述のように周囲壁部３３１が設けられている、すなわち、収納部材３３は、前方に開放（開口）した円形状の凹室を形成可能に円形状の周囲壁部３３１を有し、上述のように裏面構成部材２０に収納部材３３を取り付けることで、図１０に示すように、裏面構成部材２０の円形壁部２５と周囲壁部３３１とから画像表示ユニット３２を収納する収納空間が形成される。
【００９０】
図４に示すように、収納部材３３の背面板３３３には、回動軸３１を挿通可能な中空ボス３３４が当該収納部材３３の裏面から後方に突出して設けられている。中空ボス３３４は、背面板３３３に一体に形成されるとともに画像表示ユニット３２の回動軸３１に対応して形成されるものである。
そして中空ボス３３４は、回動軸３１よりも大きな径の円筒状に形成され、かつ、裏面構成部材２０に取り付けられた収納部材３３内に画像表示ユニット３２を収納した状態で、中空ボス３３４の後端が回動軸３１の後端より僅かに前となるように形成される。
【００９１】
また、中空ボス３３４は、収納部材３３の背面板３３３の後方に配置される演出制御装置６０より後方に延出しており、上述のように長い回動軸３１を、その前端部及び後端部を除いて収容可能となっている。また、中空ボス３３４は、背面板３３３と一体に形成されるが、見かけ上、背面板３３３を貫通した状態に形成され、中空ボス３３４の前端部は、背面板３３３の前面側に突出した状態となっている。
【００９２】
また、中空ボス３３４の前端部及び後端部には、それぞれ軸受３４ａ，３４ｂ（プラスチック滑り軸受）が配置される。そして、中空ボス３３４内に配置される回動軸３１は、前後２つの軸受３４ａ，３４ｂに挿通された状態となり、２つの軸受３４ａ，３４ｂに互いに離れた２点で回動自在に支持された状態となる。従って、２つの軸受３４ａ，３４ｂを互いに離して配置することで、回転自在に支持される画像表示ユニット３２が重くても、画像表示ユニット３２を安定して回動自在に支持することができる。
【００９３】
そして、この実施例では、中空ボス３３４の後端が収納部材３３の背面板３３３より後方に配置される演出制御装置６０よりも後方に位置するように中空ボス３３４が長くされ、かつ、前側の軸受３４ａが背面板３３３前面より前に配置される中空ボス３３４の前端部に配置され、後側の軸受３４ｂが中空ボス３３４の後端部に配置されることから、２つの軸受３４ａ，３４ｂ間の距離が極めて長くされている。これにより、画像表示ユニット３２を大型の画像表示器１２を有することにより大きな重量を有するものとしても、２つの軸受３４ａ，３４ｂにより安定して支持することができる。
【００９４】
また、回動軸３１の前端部には、筒状の固定筒部３５ａが回りを囲んだ状態で固定されており、この固定筒部３５ａの後端面が前側の軸受３４ａの前端面に当接することにより回動軸３１の後側への移動が規制されている。
また、回動軸３１の後側の軸受３４ｂ（中空ボス３３４の後端部）より僅かに後側となる部分には、軸受３４ｂの内径より大きな外形を有する止め輪（Ｅリング）が固定されており、該止め輪が後側の軸受３４ｂに当接することにより回動軸３１の前側への移動が規制されている。これらのことから、回動軸３１は、中空ボス３３４において、回動自在に支持されるとともに、前後動を規制されている。
【００９５】
そして、画像表示ユニット３２は、遊びの範囲内での前後動より大きな前後動が規制されることにより、画像表示ユニット３２が前後にがたつくのを防止し、例えば、画像表示ユニット３２（前方円盤部材本体３７１）の前面が前面カバー２４２に当接することがないようになっている。なお、画像表示ユニット３２は、基本的に２つの軸受３４ａ，３４ｂにより安定して回動自在に支持されているので、必ずしも、前記ローラ２５２により前方円盤部材３７の演出装置１００の外周を支持する必要はないが、後述するようにローラ２５２がないと画像表示ユニット３２が片支持の状態となるので、画像表示ユニット３２の円滑な回転と、軸受３４ａ、３４ｂの耐久性等を考慮した場合に、前記ローラ２５２により画像表示ユニット３２の前部を支持して、画像表示ユニットを両支持の状態で回動可能とすることが好ましい。
【００９６】
これにより、画像表示ユニット３２をより安定させて回転できるとともに、軸受３４ａ，３４ｂへの負荷を減少させて耐久性を向上することができる。
なお、回動軸３１は、画像表示器１２を備える後方円盤部材３５の後方側に延出しており、画像表示ユニット３２の重心は、回動軸３１の軸受３４ａ，３４ｂに支持された部分より前となり、回動軸３１を回動自在に軸受３４ａ，３４ｂで支持するだけでは片支持となる。
【００９７】
背面板３３３の裏面には、第２〜第４中継基板３３ｂ，３３ｃ，３３ｄが上下に並んで固定されるようになっている。そして、背面板３３３の裏面には、これら第２〜第４中継基板３３ｂ，３３ｃ，３３ｄのそれぞれの取付部として第２〜第４中継基板取付部３３ｆ，３３ｇ，３３ｈが設けられている。なお、第２中継基板３３ｂ、第２中継基板取付部３３ｆ、第４中継基盤３３ｄ、第４中継基盤取付部３３ｈ及び後述の導線保護部材３３ｉは、図２に図示されている。
第２〜第４中継基板３３ｂ，３３ｃ，３３ｄは、画像表示ユニット３２の後方円盤部材３５に設けられた画像表示器１２の第１中継基板４２に中継された導線と、収納部材３３に設けられた第１及び第２位置検出装置４６１，４６２の導線と、裏面構成部材２０に設けられた上述の左右のＬＥＤ基板の導線と、画像表示装置１０の外部に設けられたサイドランプ９，９等の導線とが接続されて、これら導線は、第２〜第４中継基板３３ｂ，３３ｃ，３３ｄに中継され、演出制御装置６０に接続される。
【００９８】
第２中継基板取付部３３ｆは、収納部材３３の本体とは別体に成型されたもので、後方を開放した平たい箱状に形成され、収納部材３３にネジ止めされて取り付けられている。
また、第２中継基板取付部３３ｆには、画像表示ユニット３２の後方円盤部材３５に設けられた画像表示器１２の第１中継基板４２に中継された導線が、後述の導線導出口３３ａを通って収納部材３３の内側から外側に引き出され第２及び第３中継基板３３ｃ，３３ｄに接続される部分を後方側から覆う導線保護部材３３ｉが設けられている。
【００９９】
導線保護部材３３ｉは、第２中継基板取付部３３ｆの下側で隣接する導線導出口３３ａ及び第３中継基板取付部３３ｇの間を架け渡すように、導線導出口３３ａ及び第３中継基板取付部３３ｇの後方に配置される。また、導線保護部材３３ｉは、第２中継基板取付部３３ｆの下側側面の後方から見て左端部に接続される接続部を有する上側板と、上側板に対向する下側板と、上側板の後端と下側板の後端間に架け渡される背板と、背板の後方から見て右側に配置される右側板とを有し、前記導線の配置部分の上下と後と右とを覆うようになっている。また、導線保護部材３３ｉは、導線導出口３３ａの後側となる後方から見て左側より、第３中継基板取付部３３ｇの後方側となる後方から見て右側の方が上下幅が広くされている。
【０１００】
この導線保護部材３３ｉにより、画像表示ユニット３２の回転移動により動く導線が、周囲に広がるのを防止することで、導線が周囲の部材に絡むのを防止することができる。なお、導線保護部材３３ｉは、背面板３３３及び周囲壁部３３１を有する収納部材３３の本体の裏面側で背面板３３３側に向かって開放された略箱状に形成されることから、収納部材３３の本体と一体に成型することが困難である。しかし、第２中継基板取付部３３ｆと一体に成型して、第２中継基板取付部３３ｆと一体に取り付けることで、導線保護部材３３ｉを収納部材３３の本体に対して別体としても、容易に収納部材３３に取り付けることができる。
第３中継基板取付部３３ｇは、背面板３３３の裏面の右側で、上下の略中央に形成され、背面板３３３から後方に突出して第３中継基板３３ｃの周囲を囲むリブを有するものであるが、リブの一部は背面板３３３より右側に突出した位置まで形成されて壁状となっている。
【０１０１】
第４中継基板取付部３３ｈは、背面板３３３の裏面の右側で第３中継基板取付部３３ｇの下側に隣接して配置されている。また、第４中継基板取付部３３ｈは、背面板の下側及び右側に突出して形成されており、突出した部分には、第４中継基板３３ｄの後方から見て右と下とを囲む壁が形成されている。
【０１０２】
また、背面板３３３には、その中央部分でかつ中空ボス３３４の周囲となる部分に背面板３３３の中心を中心とする円の１／４より僅かに大きな円弧状の半径方向に幅を有する扇状の導線導出口３３ａが形成されている。導線導出口３３ａは、上述のように後方円盤部材３５の第１中継基板４２から後方に引き出される液晶表示パネル用の導線とバックライト用導線とを収納部材３３の収納空間から収納部材３３の裏面側に引き出すための開口部である。そして、導線導出口３３ａから収納空間の外側に引き出された導線は、上述のように導線導出口３３ａの後方から見て右側に隣設する第２中継基板３３ｂ、第３中継基板３３ｃに接続されるようになっている。
【０１０３】
また、導線導出口３３ａの外周縁となるとともに、隣設する第２中継基板取付部３３ｇ、第３中継基板取付部３３ｇの境界部分には、背面板３３３の前後方向にそれぞれ突出するように円弧板状の導線ガイド壁３３ｅが形成されている。従って、導線導出口３３ａを通りかつ、画像表示ユニット３２の回転に伴って移動する導線は、導線ガイド壁３３ｅに沿って移動することになり、導線の絡み等が防止される。なお、導線導出口３３ａは、画像表示ユニット３２の回転中心に対応してその近傍となる背面板３３３の中央部に設けられているので、画像表示ユニット３２が回転移動しても導線の移動量をほぼ最低限度のものとすることができる。さらに、移動する導線は、上述の導線保護部材３３ｉによっても保護されており、導線ガイド壁３３ｅ及び導線保護部材３３ｉにより、導線の絡み等による断線を確実に防止することができる。
【０１０４】
また、背面板３３３の後方から見て左側の裏面には、裏面構成部材２０の演出制御取付部２７に取り付けられた演出制御装置６０の右側を固定するための演出制御取付部となる上下のボス３３ｋ，が設けられている。なお、ボス３３ｋには、補強と演出制御装置６０の裏面支持のためのリブ３３ｍが接続されている。
また、図５に示すように、背面板３３３の前面側には、後述する第１及び第２位置検出装置４６１，４６２に対応して位置検出取付部３３ｎが設けられている。
位置検出取付部３３ｎは、原点位置（図５に示す状態）で、真上を０度として背面板３３３の中心を中心とし、前面側から見て時計回りに略４５度の位置と略２２５度の位置に、前方に突出するコ字形のリブにより形成されている。略４５度の位置にある位置検出取付部３３ｎ（原点位置側：復路の末端側）は、下方（時計回り方向）が開口したコ字形のリブで形成されており、ここに第１位置検出装置４６１が取り付けられている。また、略２２５度の位置にある位置検出取付部３３ｎ（回転位置側：往路の末端側）は、下方（反時計回り方向）が開口したコ字形のリブで形成されており、ここに第２位置検出装置４６２が配置されている。
【０１０５】
周囲壁部３３１は、背面板３３３と同径となる短い円筒状の後壁部３３ｏと、後壁部３３ｏより大きな径の短い円筒状で、裏面構成部材２０の円形壁部２５と同径の前壁部３３ｐと、後側の後壁部３３ｏと前側の前壁部３３ｐとを前後に配置した際に、これら径の異なる後壁部３３ｏの前端部と前壁部３３ｐの後端部とを接続する円環状の段差板３３ｑとを有し、これらが一体に成型されている。
すなわち、周囲壁部３３１は、その後壁部３３ｏと前壁部３３ｐとで径が異なることから、周囲壁部３３１に段部３３７が形成されている。そして、上述の裏面構成部材のカバー取付部２４及び円形壁部２５と、周囲壁部３３１の前壁部３３ｐとを前後に接続して形成された内部空間が前方収納部３３５とされ、この前方収納部３３５に、画像表示ユニット３２の前後に接続された前方円盤部材３７と後方円盤部材３５とからなる本体が収納される。ここで画像表示ユニット３２の本体は、後方円盤部材本体３５１の裏面から前側で、裏面より後は含まれない。
【０１０６】
また、周囲壁部３３１前壁部３３ｐより径の小さい後壁部３３ｏ内の空間は、後方円盤部材３５の裏面に形成される突起部材４０及び遮光板４１と、これら突起部材４０及び遮光板４１に対応して、収納部材３３の背面板３３３の前面（収納部材３３の内面）に形成された回動規制部材４４１，４４２及び位置検出装置４６１，４６２とが配置される後方収納部３３６となっている。すなわち、突起部材４０及び遮光板４１と、回動規制部材４４１，４４２及び位置検出装置４６１，４６２とが後方円盤部材本体３５１の裏面と、背面板３３３の前面との間に配置されるために、これらの面が互いに離間する必要がり、後方円盤部材本体３５１が収納される前壁部３３ｐの後に後壁部３３ｏを設けて、後方円盤部材本体３５１の裏面と、背面板３３３の前面との間の空間を覆うようになっている。
【０１０７】
従って、前記周囲壁部３３１に段部３３７を形成することで、収納部材３３は、前記画像表示ユニット３２（本体）を収納する前方収納部３３５と、該前方収納部３３５の後方に前記回動規制部材４４１，４４２、前記検出手段（位置検出装置４６１，４６２）および該画像表示ユニット３２から外部に接続された導線を収納する後方収納部３３６とを備えている。
【０１０８】
また、前壁部３３ｐには、上述の駆動ギア３４１を周囲壁部３３１内の収納空間内に臨ませるための前記開口部３３２が形成されている。また、前壁部３３ｐの円形壁部２５のローラ取付部２５１，…の後方側に突出する部分に対応して切欠部３３ｒ，…が形成されている。また、前壁部３３ｐの前縁部には、６０度毎に外方側に突出する複数（例えば、６個）の取付片３３ｕ，…が設けられている。取付片３３ｕ，…は、裏面構成部材のネジ止めボス２５３，…の先端部と嵌合して、裏面構成部材２０に収納部材３３を位置決めするとともに、ネジによりネジ止めボス２５３，…に固定されるようになっている。
【０１０９】
前記回動規制部材４４１，４４２は、上述のように画像表示ユニット３２の裏面となる後方円盤部材本体３５１の裏面に突設された突起部材４０に対応して設けられ、前記画像表示ユニット３２の回動範囲を規制するためのものである。そして、回動規制部材４４１，４４２は、収納部材３３における画像表示ユニット３２の裏面と対向する内面となる前記背面板３３３の前面で、かつ、突起部材４０の回動軌跡上に一対設けられている。
【０１１０】
すなわち、突起部材４０は、後方円盤部材本体３５１の裏面で後方に突出して形成され、回動規制部材４４１，４４２は、後方円盤部材本体３５１の裏面に対応する背面板３３３の前面に前方に突出して設けられることにより、突起部材４０の前後位置と回動規制部材４４１，４４２の前後位置とが重なり、かつ、回動規制部材４４１，４４２が突起部材４０の回動軌跡上に設けられているので、画像表示ユニット３２を回転移動させると、突起部材４０が一対の回動規制部材４４１，４４２のいずれかに当接する構成となっている。
【０１１１】
図４に示すように、突起部材４０は、画像表示ユニット３２を原点位置に配置した場合に、画像表示ユニット３２の真上方向を０度として、画像表示ユニット３２の前方側から見て時計回りに４５度となる位置に配置される。また、画像表示ユニット３２を原点位置から１８０度時計回りに回転させた場合の回転位置に画像表示ユニット３２を配置した場合に、突起部材４０は、２２５度となる位置に配置される。これに対応して、第１回動規制部材４４１は、４５度となる突起部材４０に当接するように４５度より僅かに小さい角度となる位置に配置される。また、第２回動規制部材４４２は、２２５度となる突起部材４０に当接するように、２２５度より僅かに大きい角度となる位置に配置される。
【０１１２】
これにより、突起部材４０は、４５度から２２５度の範囲で回動可能となり、４５度以下及び２２５度以上の回転が規制される。突起部材４０を有する画像表示ユニット３２は、原点位置から回転位置までの所定角度としての１８０度の範囲で回転可能となる。この場合に画像表示ユニット３２の画像表示器１２の画像表示面１１は、左右に長い矩形状となる横の状態（原点位置）から、上下に長い矩形状の縦の状態を経由して、再び左右に長い矩形状となる横の状態（回転位置）との間を回動自在となる。
【０１１３】
なお、遊技盤１の前面構成部材５１により形成された表示用窓部５２が占める面積は、画像表示ユニット３２の前面となる前方円盤部材本体３７１の前面の面積より小さくされている。従って、前方円盤部材本体３７１の前面の外周部は、表示用窓部５２から露出しないものとなっているとともに、表示用窓部５２が円形ではないことから、前方円盤部材本体３７１の前面の外周部より内側でも一部が表示用窓部５２から露出しないようになっている。
しかし、上述のように、横長の状態から縦長の状態を経由して再び横長の状態となる（反転する）ことが可能な画像表示面１１は、横長の状態でも縦長の状態でも、そのほとんどの部分が表示用窓部５２から露出するようになっている。
【０１１４】
また、上述のように突起部材４０は、磁石に吸着される金属部材４０ｂを有する一方、第１及び第２回動規制部材４４１，４４２には磁石を設け、突起部材４０の金属部材４０ｂが第１及び第２回動規制部材４４１，４４２の磁石に吸着されることで、画像表示ユニット３２を適正角度で保持可能としている。すなわち、第１及び第２回動規制部材４４１，４４２のいずれかに当接した突起部材４０は、磁石に吸着されるので、モータ３４２からの動力が伝達されなければ、上述の原点位置もしくは回転位置に適正角度で固定された状態となる。また、突起部材４０が回転移動して第１及び第２回動規制部材４４１，４４２に当接した際に、突起部材４０が第１及び第２回動規制部材４４１，４４２に対して撥ねて離れてしまうのを防止することができる。
【０１１５】
すなわち、第１及び第２回動規制部材に設けられた磁石への金属部材４０ｂの吸着力に打ち勝つ力が作用しなければ、画像表示ユニット３２は回転しない。なお、磁石の磁力は、上述のように突起部材４０が撥ねるのを防止できるとともに、画像表示ユニット３２が原点位置及び回動位置で保持される以上の吸着力を必要とし、かつ、モータ３４２が作動した場合に、スムーズに突起部材４０が離れる吸着力である必要がある。
【０１１６】
図５に示すように第１及び第２位置検出装置４６１，４６２は、発光部４６ａと受光部４６ｂとが互いに間隔を開けて背面板３３３前面から前方に突設された基板４６ｃを有する。また、第１及び第２位置検出装置４６１，４６２の基板４６ｃが、位置検出取付部３３ｎにネジ止めされて取り付けられる。なお、発光部４６ａは、発光素子を有し、受光部４６ｂは受光素子を有する周知の光学センサとなっている。また、第１及び第２位置検出装置４６１，４６２は、演出制御装置６０に接続されている。
【０１１７】
また、背面板３３３に取り付けられた第１及び第２位置検出装置４６１，４６２において、発光部４６ａと受光部４６ｂとの間は、画像表示ユニット３２の裏面に形成された遮光板４１の画像表示ユニット３２を回転させた場合の回転軌跡上に配置され、遮光板４１が発光部４６ａと受光部４６ｂとの間を移動可能となっている。
【０１１８】
また、図９に示すように、遮光板４１は、その遮光板本体４１ｂの画像表示ユニット３２の回転往復移動の往路側の先端側端部が、往路の回転方向において、突起部材４０より前となる位置に配置されている。また、図５に示すように、第２位置検出装置４６２の発光部４６ａと受光部４６ｂとは、背面板３３３の半径方向に沿って並んでいるとともに、背面板３３３の中心と第２回動規制部材４４２とを結ぶ線分上に配置されている。
従って、画像表示ユニット３２が原点位置から回転位置に往路を移動した場合に、突起部材４０は第１回動規制部材４４１に接触した原点位置から１８０度離れた第２回動規制部材４４２に接触する回転位置に移動することになる。
【０１１９】
この際に遮光板４１の遮光板本体４１ｂの往路の先頭側端部が、突起部材４０より往路の回転方向の前にあるので、突起部材４０が第２回動規制部材４４２に接触する前に、第２位置検出装置４６２の発光部４６ａと受光部４６ｂとの間を遮光板本体４１ｂの往路の先頭側端部が遮光する。すなわち、画像表示ユニット３２が所定角度を回転して、突起部材４０が第２回動規制部材４４２に接触するより僅かに前に、第２位置検出装置４６２が遮光板４１を検知する。
【０１２０】
また、図９に示すように、遮光板４１は、その遮光板本体４１ｂの画像表示ユニット３２の回転往復移動の復路側の先端側端部が、復路の回転方向において、突起部材４０とほぼ同じ位置に配置されている。また、図５に示すように、第１位置検出装置４６１の発光部４６ａと受光部４６ｂとは、背面板３３３の半径方向に沿って並んでいるとともに、背面板３３３の中心と第２回動規制部材４４２とを結ぶ線分より復路の回転移動の手前側に配置されている。
従って、画像表示ユニット３２が回転位置から原点位置に復路を移動した場合に、突起部材４０は第２回動規制部材４４１に接触した回転位置から１８０度離れた第１回動規制部材４４２に接触する原点位置に移動することになる。
【０１２１】
この際に遮光板４１の遮光板本体４１ｂの復路の先頭側端部が、画像表示ユニット３２の回転角度位置において突起部材４０と同じ位置にあるが、第２位置検出装置４６１が第１回動規制部材４４１より手前にあるので、突起部材４０が第１回動規制部材４４１に接触する前に、第１位置検出装置４６１の発光部４６ａと受光部４６ｂとの間を遮光板本体４１ｂの復路の先頭側端部が遮光する。すなわち、画像表示ユニット３２が所定角度を回転して、突起部材４０が第１回動規制部材４４１に接触するより僅かに前に、第１位置検出装置４６１が遮光板４１を検知する。
【０１２２】
すなわち、第１及び第２位置検出装置４６１，４６２は、突起部材４０が第１及び第２回動規制部材４４１，４４２に接触する直前の画像表示ユニット３２の回転位置を検出するので、第１及び第２位置検出装置４６１，４６２は、回転を停止する直前の画像表示ユニット３２の回動位置（回転停止前のモータ３４２の回転軸（駆動ギア３４１）の回動角度）を検出することになる。これにより、後述するように画像表示ユニット３２が回動停止する直前となったのを検知した際に、画像表示ユニット３２（モータ３４２）の回転速度を低下させ、突起部材４０が第１及び第２回動規制部材４４１，４４２に接触する際の速度を低下させることができる。
【０１２３】
すなわち、第１及び第２位置検出装置４６１，４６２（検出手段）は、突起部材４０が第１及び第２回動規制部材４４１，４４２に当接するよりも前の位置で画像表示ユニット３２の回動位置を検出するように設定し、第１及び第２位置検出装置４６１，４６２の検出出力に基づいて、モータ３４２（電気的駆動源）により画像表示ユニット３２の回動速度を低速に変換する。
【０１２４】
また、図４、５に示すように、収納部材３３には、画像表示ユニット３２を原点位置に配置した場合に、画像表示ユニット３２の真上方向を０度として、０度の位置と１８０度の位置に、演出装置１００の開閉装置１２０の開閉部材１２１を駆動する駆動装置１２９が設けられている。この駆動装置１２９は、収納部開閉用ＳＯＬ１２９ａ（電気的駆動源）を備え、図１０、１１に示すように、その前面側に前後方向に伸縮可能な伝達部材１３０を有する。なお、駆動装置１２９の収納部材３３の半径方向に対する取り付け位置は、図１０に示すように、伝達部材１３０と被伝達部１２５が一直線上に並ぶような位置となっている。また、駆動装置１２９は、収納部材３３に設けられた取付孔３３ｖに挿通された状態で固定されており、その前後位置は、図１１に示すように、伝達部材１３０を伸張させたときに被伝達部材１２３の被伝達部１２５を押圧して被伝達部１２５の前部を規制部１２８に当接できるような位置となっている。これにより、画像表示ユニット３２に設けられた一対の演出装置１００，１００が、特定の回動位置として０度、１８０度の位置となった場合、すなわち、画像表示面１１が横長となる位置で、開閉装置１２０が作動して演出物１０２を落下、収納する位置になった場合に、駆動装置１２９を駆動することで開閉部材１２１を前方向に摺動させることができ、演出物収納部１０１の開口部１０３を開放することができる。
【０１２５】
以上のことから、画像回動装置３０は、画像表示ユニット３２を回動可能に軸支するとともに、該画像表示ユニット３２の裏面側所定部位を収納する収納部材３３を有し、収納部材３３における画像表示ユニット３２の特定の回動位置に対応する部位に、開閉装置１２０を開閉させるための電気的駆動源（収納部開閉用ＳＯＬ１２９ａ）および駆動力を伝達する伝達部材１３０を有する駆動装置１２９を配設し、画像表示ユニット３２が特定の回動位置となった際に、当該画像表示ユニット３２の裏面側に設けられた被伝達部材１２３に対して、駆動装置１２９の伝達部材１３０が作用して駆動力を伝達するように構成したこととなる。
【０１２６】
また、図１３に示すように、パチンコ遊技機は、その制御系として遊技の進行を制御する遊技制御装置７０（メイン制御装置）、この遊技制御装置７０の制御下で各種の演出に関する制御を行う演出制御装置６０（サブ制御装置）としての音・ランプ制御装置８０及び表示制御装置９０とを備えている。
【０１２７】
このうち遊技制御装置７０は、ＣＰＵ７１ａ、ＲＡＭ７１ｂ、ＲＯＭ７１ｃ等を有する遊技用マイクロコンピュータ７１、入出力Ｉ／Ｆ７３、クロック（発振器：ＣＬＫ）７２等により構成されている。
このうち、ＣＰＵ７１ａは、制御部、演算部を備え、演算制御を行う他、特図や普図の変動表示ゲームに関連する各種乱数値なども生成している。各種乱数値には、特図変動表示ゲームの大当り判定用乱数値、普図変動表示ゲームの当り判定用乱数値、特図変動表示ゲームの停止図柄の決定に用いられる図柄決定用乱数値、特図変動表示ゲームにおける基本変動パターン（各種リーチやリーチ無しの変動表示における変動表示ゲームの実行時間等を含む）の種類の決定に用いられる基本変動パターン決定用乱数値などが含まれる。
ＲＡＭ７１ｂは、変動入賞装置６の始動入賞口に対応して設けられた特図始動入賞口センサ６ａのオン信号の記憶、すなわち特図始動記憶（始動記憶、変動表示ゲームの実行権利）の記憶領域、普図始動ゲート８，８に設けられた普図始動ゲートセンサ８ａのオン信号の記憶（普図始動記憶）の記憶領域、前記各種乱数値の記憶領域、並びに、ＣＰＵ７１ａの作業領域等を備えている。
ＲＯＭ７１ｃには、遊技上の制御プログラムや制御データが書き込まれている他、特図変動表示ゲームの大当り発生を判定するための特図変動表示ゲームの大当り判定値を有する乱数判定テーブル、普図変動表示ゲームの当り発生を判定するための普図の当り判定値を有する普図判定テーブルなどが書き込まれている。
【０１２８】
また、入出力Ｉ／Ｆ７３には、図示しないローパスフィルタ及びバッファーゲートを介して、特図始動入賞口センサ６ａ、普図始動ゲートセンサ８ａ、大入賞口センサ７ｂ、一般入賞口センサ３ａ，３ａ、これらからの各種信号が入力されている。そして、これら各種信号は、該入出力Ｉ／Ｆ７３により中継されて、ＣＰＵ７１ａに対し出力されている。
【０１２９】
なお、特図始動入賞口センサ６ａは、変動入賞装置６に入賞した遊技球を検出するものである。また、普図始動ゲートセンサ８ａは、普図変動表示ゲームの始動口となる普図始動ゲート８を通過する遊技球を検出するものである。また、大入賞口センサ７ｂは、特図変動表示ゲームが大当りとなって特別遊技状態となった場合に開放される特別変動入賞装置７に入賞した遊技球を検出するものである。また、一般入賞口センサ３ａ，３ａは、一般入賞口３，３に入賞した遊技球を検出するものである。
【０１３０】
さらに、入出力Ｉ／Ｆ７３には、ＣＰＵ７１ａから出力される各種の制御信号が入力され、これら制御信号は、該入出力Ｉ／Ｆ７３により中継されて、図示しない出力ポート及びドライバーを介して、普通電動役物の開閉部材の駆動手段としての普電用ソレノイド６ｃ、遊技店の管理装置等に情報を出力する外部情報端子１７、演出制御装置６０の音・ランプ制御装置８０、特別変動入賞装置７を開閉する可動部材の駆動手段としての可動部材用ソレノイド７ｃなどに出力されている。
【０１３１】
遊技制御装置７０のＣＰＵ７１ａは、例えば、特図始動入賞口センサ６ａからの検出信号（始動信号）の入力等に基づき、ＲＡＭ７１ｂに記憶されている各種乱数値の抽出処理を行い、該抽出処理により抽出された乱数値と、予めＲＯＭ７１ｃに記憶されている判定値（判定テーブル）とを比較する。
この比較により、遊技制御装置７０のＣＰＵ７１ａは、特図変動表示ゲームを大当りとして特別遊技状態を発生するか否か（大当りに当選か否か）、等を決定する。なお、特図変動表示ゲームの大当り決定用に抽出された乱数値が、特図変動表示ゲーム用に記憶されている大当り判定値と一致する場合に、特図変動表示ゲームが大当りとされる。そして、特図変動表示ゲームが大当りとされた際には、特図変動表示ゲーム終了後、後述のサイクル遊技として、可動部材用ソレノイド７ｃを作動させて特別変動入賞装置７を開放状態とする。
【０１３２】
また、遊技制御装置７０のＣＰＵ７１ａは、特図始動入賞口センサ６ａから始動信号が入力し、各種乱数値の抽出を行った場合に、ＲＡＭ７１ｂに、記憶されるカウンタ値としての特図始動記憶数を１つ加算するとともに、抽出された特図変動表示ゲーム用の乱数値を特図始動記憶に対応付けて記憶する。なお、直ちに次の特図変動表示ゲームを開始することができない状態（例えば、特図変動表示ゲームの実行中、或いは、特別遊技状態中等）であれば、特図始動記憶数が保持され、特図変動表示ゲームが開始される際に、特図始動記憶数を１つ減算する。
なお、例えば、特図始動記憶に空きがない場合、すなわち、特図始動記憶数が予め設定された上限となっている場合には、各種乱数値の抽出を行わない。
【０１３３】
また、遊技制御装置７０のＣＰＵ７１ａは、上記抽出処理により抽出された乱数値と予めＲＯＭ７１ｃに記憶されている判定値との比較による各種の決定等に基づいて、音・ランプ制御装置８０に演出データ（制御情報を含む演出コマンド）を送る。音・ランプ制御装置８０は受信した演出データに基づいて（遊技制御装置７０の制御の下に）、変動表示ゲームの際にスピーカ１４から出力される効果音を制御したり、サイドランプ等の装飾用ランプ（ＬＥＤ）１５を制御する。また、後述するように、演出制御装置６０の音・ランプ制御装置８０は、モータ３４２の回転を制御し、上述の画像表示ユニット３２を回転させることにより、矩形状の画像表示面１１を回転させて、横長の状態から縦長の状態を経由して再び横長の状態（反転した状態）に変換するようになっている。
さらに、後述するように、演出制御装置６０の音・ランプ制御装置８０は、演出装置１００の駆動装置１２９の動作を制御し、開閉部材１２１を動作させることにより演出物１０２を画像表示面１１の前方に落下させるようになっている。
【０１３４】
また、遊技制御装置７０から出力された演出データ（演出コマンド）は、音・ランプ制御装置８０を介して表示制御装置９０に出力され、変動表示装置５における変動表示ゲームの表示を制御する。なお、この例においては、画像表示面１１において、特図の変動表示ゲームが表示されるだけではなく、画像表示面１１の上端部や下端部や隅部等に、普図の変動表示領域、特図始動記憶表示領域、普図始動記憶表示領域が設定され、普図の変動表示領域で普図の変動表示ゲームの表示が行われ、特図始動記憶表示領域で特図の始動記憶数の表示が行われ、普図始動記憶表示領域で普図の始動記憶数の表示が行われ、これらの表示は、遊技制御装置７０から音・ランプ制御装置８０を介して入力される普図の変動表示ゲームの演出コマンド、特図の始動記憶数のデータ、普図の始動記憶数のデータに基づいて表示制御装置９０が制御する。なお、画像表示面１１上の普図の変動表示領域、特図始動記憶表示領域、普図始動記憶表示領域は、画像表示面１１の回転に伴って画像表示面１１の上下左右が変換された場合に変化し、各表示領域の上下左右が回転後の画像表示面１１の上下左右に対応するとともに、必要に応じて表示領域の位置も変化するように制御される。
【０１３５】
遊技制御装置７０のＣＰＵ７１ａは、例えば、普図始動ゲートセンサ８ａからの検出信号（始動信号）の入力等に基づき、ＲＡＭ７１ｂに記憶されている普図変動表示ゲームの乱数値の抽出処理を行い、該抽出処理により抽出された乱数値と、予めＲＯＭ７１ｃに記憶されている普図変動表示ゲームの判定値（判定テーブル）とを比較する。
この比較により、遊技制御装置７０のＣＰＵ７１ａは、普図変動表示ゲームを当りとして普通電動役物を作動させるか否かを決定する。なお、普図変動表示ゲームの当り決定用に抽出された乱数値が、普図変動表示ゲーム用に記憶されている当り判定値と一致する場合に、普図変動表示ゲームが当りとされる。
【０１３６】
そして、普図変動表示ゲームの上述の抽選結果に対応して画像表示面１１の普図の変動表示領域で普図変動表示ゲームが行われる。
そして、普図変動表示ゲームが当りとされた際には、普図変動表示ゲーム終了後、普電用ソレノイド６ｃを作動させて普通電動役物を所定時間開放して、普通電動役物が設けられた（普通）変動入賞装置６を遊技球が入賞しやすい状態とする。
【０１３７】
また、遊技制御装置７０のＣＰＵ７１ａは、普図始動ゲートセンサ８ａから始動信号が入力し、乱数値の抽出を行った場合に、ＲＡＭ７１ｂに、記憶されるカウンタ値としての普図始動記憶数を１つ加算するとともに、抽出された普図変動表示ゲーム用の乱数値を普図始動記憶に対応付けて記憶する。なお、直ちに次の普図変動表示ゲームを開始することができない状態（例えば、普図変動表示ゲームの実行中）であれば、普図始動記憶数が保持され、普図変動表示ゲームが開始される際には、普図始動記憶数を１つ減算する。
なお、例えば、普図始動記憶に空きがない場合、すなわち、普図始動記憶数が予め設定された上限となっている場合には、普図変動表示ゲームの乱数値の抽出を行わない。
【０１３８】
さらに、遊技制御装置７０のＣＰＵ７１ａは、一般入賞口センサ３ａ，３ａ、特図始動入賞口センサ６ａ、大入賞口センサ７ｂから入賞球の検出信号が入力された場合に、それら検出信号に基づいて、排出・発射制御装置に賞球データを送って所要数の賞球を排出させる制御も行う。また、遊技制御装置７０の制御下で、排出・発射制御装置により遊技者の発射ハンドルの操作に基づいて発射制御装置を介して遊技球の発射を制御する。
【０１３９】
演出制御装置（サブ制御手段）６０は、上述のように音・ランプ制御装置８０と表示制御装置９０とを有し、音・ランプ制御装置８０が、遊技制御装置（メイン制御手段）７０からの演出コマンド等に基づいて、スピーカ１４、装飾ランプ・ＬＥＤ１５（遊技盤１のサイドランプ９等）、モータ３４２、収納部開閉用ＳＯＬ１２９ａの制御を行い、表示制御装置９０が遊技制御装置（メイン制御手段）７０からの演出コマンド等に基づいて、画像表示器１２（液晶表示器）の表示制御を行う。
【０１４０】
音・ランプ制御装置８０は、制御装置としてＣＰＵ、ＲＯＭ、ＲＡＭ等を有するとともに、スピーカ１４への出力される音信号を出力するアンプ、音生成ＬＳＩ及び音信号を記憶したＲＯＭ等を有し、さらにモータ３４２（回転体用モータ）を駆動するための駆動回路や、ＬＥＤを点灯させる電力のＯＮ・ＯＦＦを行う出力インタフェース等を有する。そして、スピーカからの音の出力の制御や、各種装飾用のＬＥＤ基板に搭載されたＬＥＤの点灯・消灯の制御を行うとともに、モータ３４２の回転による画像表示ユニット３２の回転の制御、演出装置１００の開閉部材１２１を駆動する駆動装置１２９の収納部開閉用ＳＯＬ１２９ａの制御を行う。
【０１４１】
なお、モータ３４２は、正回転及び逆回転が可能なステッピングモータであり、駆動回路から出力されるパルス数により回転角度が制御され、原点位置から回転位置への画像表示ユニット３２の１８０度の回転に対応するモータ３４２の回転軸の回転角度が制御されるとともにパルス間隔により回転速度が制御される。また、音・ランプ制御装置８０には、第１及び第２の位置検出装置４６１，４６２（モータ位置検出センサ（１），（２））が接続され、上述のように、画像表示ユニット３２（モータ３４２）の回転角度が停止直前の回転角度となった際に、受光部４６ｂが発光部４６ａの光を検出できなくなったことを示す信号が入力される。この際の音・ランプ制御装置８０は、画像表示ユニット３２の停止位置までの残りの回転角度に対応するモータ３４２の回転軸（駆動ギア３４１）の回転角度を回転させるためのパルスを出力する際に、パルスの出力間隔（時間間隔）段階的に長くするようになっている。これにより、画像表示ユニット３２（モータ３４２）の回転速度は、停止直前に段階的に遅くなり、その後、停止位置で停止するようにパルスの出力が停止される。
【０１４２】
なお、画像表示ユニット３２は、前方円盤部材３７、後方円盤部材３５、画像表示器１２等を有して比較的大きな質量を有するので、モータ３４２が停止しても画像表示ユニット３２は慣性により回転しようとするが、突起部材４０が第１及び第２回動規制部材４４１，４４２に接触することで、回転を停止することになる。この際に、画像表示ユニット３２の回転速度が速いと、第１及び第２回動規制部材４４１，４４２に磁石が設けられ、突起部材４０の金属部材４０ｂが磁石に吸着されるものとしても、第１及び第２回動規制部材４４１，４４２に突起部材４０が衝突した勢いで、突起部材４０がバウンドしてしまう可能性がある。
【０１４３】
突起部材４０がバウンドしないように、画像表示ユニット３２の回転速度を極めて低速に制限してしまうと、画像表示ユニット３２の回転による演出内容が極めて制限されてしまう。
また、バウンドを防止するために磁石４４ａの磁力を強くしすぎてしまうと、画像表示ユニット３２の回転開始時に、磁石４４ａから突起部材４０が円滑に離れずに、画像表示ユニット３２が円滑に回転できなくなってしまう。
【０１４４】
しかし、上述のように、回転停止前に画像表示ユニット３２の回転速度をその前の回転速度より遅くなるように制御することで、回転停止直前までは、ある程度、画像表示ユニット３２を速く回転させることが可能となり、画像表示ユニット３２の回転による演出内容が回転速度が極めて低速となることで制限されるのを防止するとともに、上述のような回転停止時のバウンドを防止できる。
【０１４５】
また、モータ３４２を停止制御する場合に、パルス数に基づく回転角度で制御するものとしても良いが、後述するように停止直前に位置検出装置４６１，４６２から信号が入力してから所定時間経過後にモータ３４２を停止させるものとしても良い。また、モータ３４２の回転制御を行った場合に、誤差等により、突起部材４０が回動規制部材４４１，４４２に接触する僅かに前に画像表示ユニット３２の回転が止まるようなことがあっても、突起部材４０と回動規制部材４４１，４４２との距離が極めて近ければ、突起部材４０が回動規制部材４４１，４４２の磁石４４ａに吸着されることで、突起部材４０が回動規制部材４４１，４４２に接触し、正確な停止位置で画像表示ユニット３２を停止させることができる。
【０１４６】
従って、上述のモータ３４２の制御において、画像表示ユニット３２の慣性による回転力を考慮し、画像表示ユニット３２が停止位置まで回転する前に、モータ３４２へのパルスの出力を停止するようにしても良く、この場合に、上述のように突起部材４０が回動規制部材４４１，４４２の直前で停止するようなことがあっても、上述のように磁力により正確な位置で停止させることができる。
【０１４７】
また、収納部開閉用ＳＯＬ１２９ａは、駆動装置１２９に設けられ、遊技盤１の前後方向に沿って伸縮可能な伝達部材１３０を有するソレノイドである。この収納部開閉用ＳＯＬ１２９ａは、遊技制御装置７０から出力された演出データにおいて演出装置１００の動作が指示された場合に、音・ランプ制御装置８０によって伝達部材１３０を伸張するように動作される。これによって、上述したように伝達部材１３０が被伝達部１２５を介して開閉部材１２１を前方向に摺動させることができ、演出物収納部１０１の開口部１０３を開放することができる。そして、画像表示面１１の上側にある演出装置１００から演出物１０２を落下させることが可能となるとともに、画像表示面１１の下側にある演出装置１００で、落下した演出物１０２を回収可能となる。なお、このように一対の演出装置１００で演出物１０２の落下、回収を行うので、演出装置１００による演出を行う場合には、２つの収納部開閉用ＳＯＬ１２９ａ，１２９ａの両方を同時に駆動させて、画像表示面１１の上下にある両方の演出装置１００の開口部１０３を開放する。
【０１４８】
表示制御装置９０は、制御装置としてＣＰＵ、ＲＯＭ、ＲＡＭや、画像表示器１２となる液晶表示器（液晶ディスプレイ）における表示を制御するための図示しないＶＲＡＭ等の画像用メモリや、ＶＤＰ（video display processor）等のグラフィックプロセッサなどを含むビデオ回路を備えている。また、表示制御装置９０には、ＬＣＤである画像表示器１２のバックライトとなる冷陰極管用の電源となるインバータ回路が接続されている。
【０１４９】
そして、表示制御装置９０は、遊技制御装置７０から音・ランプ制御装置８０を介して入力される制御コマンドにより、遊技制御装置７０で決定された大当り、ハズレ、基本変動パターン等に基づいて、画像表示器１２において特図の変動表示ゲームを表示させる制御を行う。
また、表示制御装置９０は、上述のように遊技制御装置７０からの指令に基づき、画像表示器１２において、普図の変動表示ゲーム、普図の始動記憶数の表示、特図の始動記憶数の表示の制御を行う。従って、パチンコ遊技機は、画像表示器１２（液晶表示パネル）の表示制御を行うとともに、前記回動駆動装置３４のモータ３４２の作動制御を行う演出制御装置６０（音・ランプ制御装置８０及び表示制御装置９０）を備えている。
【０１５０】
以上のようなパチンコ遊技機においては、遊技制御装置７０及び排出・発射制御装置の制御により、遊技を開始することにより遊技領域１ａ内に打ち込まれた遊技球が、一般入賞口３、変動入賞装置６、特別変動入賞装置７の何れかに入賞すると、一般入賞口センサ３ａ、特図始動入賞口センサ６ａ、大入賞口センサ７ｂに入賞した遊技球が検出されたことに基づき、排出装置から、それぞれの入賞口に対応した所定数の賞球が排出される（払い出される）ようになっている。
また、遊技制御装置７０の制御により、遊技領域１ａ内に打ち込まれた遊技球が、普図始動ゲート８内を通過すると、普図始動ゲートセンサ８ａに遊技球が検出されたことに基づき、画像表示器１２の画像表示面１１の普通図柄表示領域において普図変動表示ゲームが行われ、かつ、普図始動記憶表示領域に普図始動記憶数を示す表示が行われる。
【０１５１】
この普図変動表示ゲームは、普通図柄表示領域において普通図柄（識別情報）を所定時間変動表示（例えば、円や三角等の異なるマークや異なる数字を順番に切り替えて表示）させた後、停止表示させることにより行うようになっている。
この普図変動表示ゲームの結果、普通図柄表示領域における停止表示が特別（当り）の結果態様となれば、普図変動表示ゲームが当りとなって、変動入賞装置６に設けられる普通電動役物の可動部材６ｂが所定時間（例えば、０.５秒間）開放される。それにより、例えば、変動入賞装置６の特図始動入賞口に遊技球が入賞しやすくなり、特図の変動表示ゲームの始動が容易となる。
【０１５２】
また、遊技領域１ａ内に打ち込まれた遊技球が、変動入賞装置６に入賞すると、特図始動入賞口センサ６ａに遊技球が検出されたことに基づき画像表示器１２の画像表示面１１において、複数種類の識別情報が変動表示される特図の変動表示ゲームが開始される。
この変動表示ゲームの結果として、画像表示面１１の表示態様が特別表示態様（例えば、「１，１，１」等、同じ図柄の組合せの何れか）となって特図の変動表示ゲームが特別結果となった場合には、大当りとなって特別遊技状態（所謂、大当り）となる。
この大当り中は、特別変動入賞装置７の入賞領域を開閉する可動部材７ａを閉じた状態から大入賞口に遊技球を入賞可能とする開放状態に変換するサイクル遊技が、所定回数を限度に行われ、これにより遊技者は遊技球を大量獲得する機会を得る。
【０１５３】
次ぎに、演出制御装置６０の音・ランプ制御装置８０による画像表示ユニット３２の回動の制御と、演出制御装置６０の表示制御装置９０による画像表示ユニット３２の回動と関連する表示制御および演出装置１００の制御について説明する。
図５に示すように、収納部材３３の背面板３３３には、上述のように第１及び第２回動規制部材４４１，４４２と、第１及び第２位置検出装置４６１，４６２が配置される。そして、図４に示すように、画像表示ユニット３２の裏面には、上述のように突起部材４０と遮光板４１とが配置される。
【０１５４】
そして、図４，５に示すように、画像表示ユニット３２が原点位置にある場合には、第１回動規制部材４４１に突起部材４０が当接した状態となる。この際には、第１回動規制部材４４１の磁石４４ａに突起部材４０の金属部材４０ｂが吸着された状態となっている。そして、原点位置における画像表示ユニット３２の矩形状の画像表示面１１は、横長に水平な状態となっている。
この状態では、図１４（ａ）に示すように、例えば、画像表示面１１が左、中、右の３つの表示領域に分けられ、各表示領域毎に例えば、識別情報として、例えば、０〜９までの数字が上下に縦スクロールするように変動表示される。また、変動表示ゲームの変動表示が終了する際には、所定の順として、例えば、左、右、中の順で各表示領域の変動表示が停止され、識別情報となる数字が停止表示されていく。この際に、２つの表示領域（左、右）に同じ数字が停止表示（リーチ表示態様が形成）され、残りの表示領域（中）で変動表示が行われている場合に、所謂リーチ状態となる。
【０１５５】
この状態で、変動表示ゲームが続行される場合に、遊技制御装置７０で選択された変動パターンが、画像表示ユニット３２の回転を伴うものの場合（所謂スペシャルリーチとなる変動表示パターンのうちの1つの場合）に、遊技制御装置７０からのコマンドに基づいて音・ランプ制御装置８０が、モータ３４２を制御して、予め設定された回転速度で画像表示ユニット３２を回転させる。この際にステッピングモータであるモータ３４２の速度は、入力されるパルスの間隔で制御される。
【０１５６】
一方、表示制御装置９０は、画像表示面１１の回転に伴って変動表示の制御を行うようになっている。図１４（ｂ）に示すように、回動当初の画像表示面１１における変動表示は、回動前の変動表示のままであって、遊技者から見て、画像表示面１１が斜めになるのに伴って識別情報も斜めに表示される。この後、図１４（ｃ）に示すように、画像表示面１１の回動に伴って３つの表示領域が縦に並んだ状態となるとともに、左右の各表示領域の識別情報が画像表示面の回動方向と逆に回転し、遊技者から見て、画像表示面１１が回転しているのにもかかわらず、識別情報は回転しない状態で識別情報が縦に並んだ表示となる。なお、このとき、未だ停止していない中央の表示領域は、画像表示面１１の回動に伴って変動方向が横方向（右から左）に変換される。
【０１５７】
このとき、遊技制御装置７０で選択された変動パターンによっては、図１５（ａ）に示すように、変動表示が停止するとともに画像表示面１１の回動が停止し、ここでリーチ状態が終了する場合もある。この場合は、この後に画像表示面１１が反対方向に回動して、元の横長の状態に戻り、次の変動表示ゲームが開始される。
なお、図１５（ａ）には、画像表示面１１が略９０度回動し、縦長の状態となって停止した様子を示したが、このように画像表示面１１の回動を伴うリーチ状態が途中で終了して回動が停止する位置は、画像表示面１１が１８０度回動する途中であればどの位置でも良い。
【０１５８】
遊技制御装置７０で選択された変動パターンが、画像表示面１１の回動途中でリーチ状態を終了するものでない場合は、図１４（ｃ）の状態に引き続き、図１５（ｂ）に示すように、画像表示面１１が縦長の状態で停止せずに、画像表示面１１の回動および変動表示が継続され、図１５（ｃ）に示すように画像表示面１１がさらに同じ方向に９０度回動する。そして、図１６（ａ）に示すように、画像表示面１１が図１４（ａ）に示す状態から１８０度回転した状態となる。
この回動の過程においても、上述したように回動当初は画像表示面１１の回動に伴って識別情報も斜めに表示され、その後、左右の各表示領域の識別情報が、画像表示面１１の回動方向と逆に回転して横に並んだ状態となる。
【０１５９】
さらに、図１６（ａ）に示すように、画像表示面が１８０度回転した後、図１１に示すように、画像表示面１１の上方に位置する演出装置１００において、駆動装置１２９の伝達部材１３０が伸張して被伝達部１２５を押圧することで開閉部材１２１が前面側に摺動し、図８に示すように、演出物収納部１０１の開口部１０３が開放されて内部に収納されていた演出物１０２が画像表示面１１の前方側に落下する。このとき、画像表示面１１の下方に位置する演出装置１００においても駆動装置１２９によって開閉部材１２１が摺動されて、演出物収納部１０１の開口部１０３が開放された状態となっており、落下した演出物１０２が演出物収納部１０１内に収納される。そして、演出装置１００の作動から所定時間経過後に駆動装置１２９の伝達部材１３０が退縮し、開閉装置１２０の復帰バネ１２７が押圧部１２４を押圧することによって開閉部材１２１が後方に摺動して開口部１０３を閉鎖し、画像表示面１１の上方にある演出装置１００からの演出物１０２の落下が終了する。また、画像表示面１１の下方にある演出装置１００での演出物１０２の回収も終了する。この後、変動表示が停止して変動表示ゲームが終了する。
【０１６０】
なお、この後に行われる変動表示ゲームにおいて、再び画像表示面１１の回動を伴うスペシャルリーチが行われる場合は、上述の回動方向とは逆の回動方向に画像表示面１１を回動する。そして、前回のスペシャルリーチにおいて、画像表示面１１の下方にあって演出物１０２を収納した演出装置１００を、画像表示面１１の回動によって上方に位置するようにし、再び演出物１０２を落下させるようにする。
またこのように、画像表示ユニット３２を回動する際には前回の回動方向と逆方向に回動するので、音・ランプ制御装置８０が、現在、画像表示ユニット３２が０度の位置（原点位置）と１８０度の位置（回転位置）のどちらの位置で停止しているかを判断して回動方向を決定するようになっている。
【０１６１】
また、上述したような画像表示面１１の回動を伴う演出が行われていない状態、つまり、画像表示面１１が横長となっている状態である通常状態においては、一対の演出装置１００のうち、演出物１０２が収納された演出装置１００が必ず画像表示面１１の下方に位置するように音・ランプ制御装置８０によって制御されている。また、電源投入時には、画像表示面１１が横長となる初期位置に画像表示ユニット３２を回動した後、開閉装置１２０を作動させる初期動作を行うことで、常態において演出物１０２が画像表示面１１の上方に位置する演出装置１００に収納された状態となることを防止するようにしている。このように制御することで、画像表示面１１の回動を伴う演出において、演出物１０２の落下による演出を確実に行うことができる。
【０１６２】
以上のことから、遊技盤１に形成された表示用窓部５２から画像表示面１１を前面側に臨ませるように画像表示装置１０を該遊技盤１の裏面側に配設した遊技機において、画像表示装置は１０、画像表示面１１を有する画像表示器１２を配設した画像表示ユニット３２を、当該遊技機の前後方向に設定された回動軸３１を中心に回動可能に設けることで、該画像表示面１１を表示用窓部５２内において回動可能に構成した画像回動装置３０を備え、画像表示ユニット３２の前面側には、画像表示器１２を挟んで対向状に前記画像表示面１１での表示を演出する一対の演出装置１００を配設し、演出装置１００は、内部に演出物１０２を収納可能な演出物収納部１０１を有し、画像表示ユニット３２の回動に応じて一方の演出装置１００が画像表示器１２の上部に位置した際に、当該上部の演出装置１００の演出物収納部１０１から該画像表示器１２の前方側に該演出物１０２を落下させるとともに、該落下させた演出物１０２を下方に位置する演出装置１００の演出物収納部１０１で収納するように構成したこととなる。
【０１６３】
なお、画像表示器１２における変動表示内容については、少なくとも変動表示時間を規定する基本的な変動パターンが遊技制御装置７０から音・ランプ制御装置８０に演出コマンドとして出力されるが、画像表示ユニット３２（画像表示器１２）の回転を伴う変動表示を行うか否かは、音・ランプ制御装置８０において、上述の基本的な変動パターンと確率的な抽選等により決定されるようになっている。そして、音・ランプ制御装置８０において、変動表示ゲームの開始に伴って画像表示ユニット３２の回転を行うことが決定されると、音・ランプ制御装置８０から表示制御装置９０に対して画像表示ユニット３２の回転を伴う変動表示を行うことを示す演出コマンドが出力される。
そして、音・ランプ制御装置８０が画像表示ユニット３２の回転（モータ３４２の作動）を制御するとともに、表示制御装置９０が音・ランプ制御装置８０からの演出コマンドに基づいて変動表示の制御（画像表示器１２の制御）を行う。そして、画像表示ユニット３２の回転と、変動表示における画像の回転表示との同期は、予め決められた変動開始後の時間や音・ランプ制御装置８０からの画像表示ユニットの回転を決定したことを示す演出コマンドの出力後の予め設定された時間に対応してそれぞれ画像表示ユニット３２が所定の回転速度で回転開始するとともに、画像の画像表示ユニット３２の回転に予め対応させられた回転表示が開始されることでとられる。
【０１６４】
なお、音・ランプ制御装置８０が、変動表示ゲーム中に、表示制御装置９０に変動表示における回転表示の開始及び停止を示す演出コマンドを出力し、表示制御装置９０は、音・ランプ制御装置８０からの回転表示の開始及び停止の演出コマンドに基づいて、画像表示器１２に対して通常の変動表示（例えば、横長画面用の変動表示）から回転する変動表示への切り替え及び回転する変動表示から通常の変動表示（例えば、縦長画面用の変動表示）への切り替えを制御しても良い。
【０１６５】
さらに、画像表示ユニット３２の変化する回転角度に対応して、画像の回転角度を微調整するような制御や、逆に画像の回転角度に対応して画像表示ユニット３２の回転角度を微調整するような制御を行っても良いが、そこまで行わなくても、上述のように、予め、画像の回転速度と画像表示ユニット３２の回転速度がほぼ一致するように設定し、音・ランプ制御装置８０からの演出コマンドの出力のタイミング等に基づいて同時に画像と画像表示ユニット３２が回転開始するようにすれば良い。また、１８０度以外の回転角度でも同様に行うことができるとともに、複数の異なる回転角度で停止可能とする場合も、予め、複数の回転角度まで回転する変動表示パターン用に各種画像データを用意するとともに、画像表示ユニット３２を複数の回転角度に回転可能な構成としておき、音・ランプ制御装置８０から出力される演出コマンドで示される回転角度まで画像と画像表示ユニット３２を回転させるようにすることで制御可能である。従って、演出制御装置６０（音・ランプ制御装置８０及び表示制御装置９０）は、画像表示器１２（液晶表示パネル）の回動に対応して、表示画像の向きを変更する制御を行うようにしている。
【０１６６】
また、異なる複数の回転速度で画像と画像表示ユニット３２を回転させる場合も、予め、異なる回転速度の変動表示パターン用の画像データを用意するとともに、画像の複数の異なる回転速度と同等の回転速度で画像表示ユニットを回転させるためのモータ３４２に入力されるパルスの間隔を求めておき、遊技制御装置７０から入力される演出コマンドで示される回転速度で画像と画像表示ユニット３２を回転させるようにすることで制御可能である。
【０１６７】
画像表示ユニット３２を停止する場合に、音・ランプ制御装置８０は、原点位置から回転位置への往路側の回転移動において、第２位置検出装置４６２からの上述の遮光板４１の検出信号があり、逆の復路側の回転移動において、第１位置検出装置４６２からの上述の遮光板４１の検出信号があり、停止位置が近付いたことを検知した際に、上述のパルスの出力間隔を大きくする処理を行う。この例では、位置検出装置４６１，４６２から信号が入力する前のモータ３４２へのパルスの出力間隔を８ｍｓ（ｍ秒）とした場合に、信号入力後は、所定時間（例えば、０．１ｓ）だけ、パルスの出力間隔を倍の１６ｍｓとする。これにより、モータ３４２（画像表示ユニット３２）の回転速度は、位置検出信号の入力前に対して１／２まで遅くなる。さらに、所定時間経過後、パルスの出力間隔を３２ｍｓとすることで、モータ３４２（画像表示ユニット３２）の回転速度は、位置検出信号の入力前に対して１／４まで遅くなる。さらに、検出信号入力後に、次ぎの所定時間（例えば、信号入力後０．２ｓ）経過した場合に、パルスの出力を停止し、モータ３４２を停止させるようになっている。
【０１６８】
なお、予め、画像表示ユニット３２の回転速度に対応して、パルスの出力間隔や、パルスを停止する所定時間等が設定されており、この例では、パルスの出力を停止した時点で、画像表示ユニット３２がほぼ停止位置となり、突起部材４０が第１及び第２回動規制部材４４１，４４２に接触するようになっている。
【０１６９】
以上のことから、信頼度の高い変動パターンのスペシャルリーチにおいては、画像表示面１１を回転させることで、信頼度が高いことを遊技者に報知して遊技者の期待感を高めるとともに、スペシャルリーチの演出において演出物１０２を落下させることにより、画像表示面１１の回動による演出と演出物１０２の落下による演出との両方で遊技者の興趣を高めることができる。
【０１７０】
なお、以上の実施の形態においては、演出装置１００に開閉装置１２０を設け、通常時は開口部１０３を閉鎖した状態とし、演出物１０２を落下、収納する際には開口部１０３を開放するとしたが、本発明はこれに限られるものではなく、演出装置１００に開閉装置１２０を設けなくても良い。
すなわち、常に開口部１０３を開放した状態として、画像表示ユニット３２が１８０度回動した時点で画像表示面１１の上方に来た演出装置１００の開口部１０３から演出物１０２が自然に落下し、画像表示面１１の下方に来た演出装置１００で演出物１０２を収納するようにする。
これにより、演出装置１００の構成を簡略化することができ、演出装置１００の製造が容易になるとともに製造のコストを削減できる。
【０１７１】
以上のようなパチンコ遊技機は、遊技盤１に形成された表示用窓部５２から画像表示面１１を前面側に臨ませるように画像表示装置１０を該遊技盤１の裏面側に配設した遊技機であって、画像表示装置１０は、画像表示面１１を有する画像表示器１２を配設した画像表示ユニット３２を、当該遊技機の前後方向に設定された回動軸３１を中心に回動可能に設けることで、該画像表示面１１を表示用窓部５２内において回動可能に構成した画像回動装置３０を備え、画像表示ユニット３２の前面側には、画像表示器１２を挟んで対向状に画像表示面１１での表示を演出する一対の演出装置１００を配設し、演出装置１００は、内部に演出物１０２を収納可能な演出物収納部１０１を有し、画像表示ユニット３２の回動に応じて一方の演出装置１００が画像表示器１２の上部に位置した際に、当該上部の演出装置１００の演出物収納部１０１から該画像表示器１２の前方側に該演出物１０２を落下させるとともに、該落下させた演出物１０２を下方に位置する演出装置１００の演出物収納部１０１で収納するように構成されている。
【０１７２】
従って、画像回動装置３０が遊技盤１の裏面側に配設されているので、従来のように遊技領域１ａを狭める等の問題点を抑えつつ画像表示器１２および演出装置１００を大型化できる。
また、回動可能な画像表示ユニット３２の前面側に、画像表示器１２を挟んで対向状に画像表示面１１での表示を演出する一対の演出装置１００を配設したことで、演出装置１００が画像表示面１１と一緒に回動するので、画像表示面１１の回動に応じた効果的な演出が行え、興趣を向上させることができる。
さらに、演出装置１００が画像表示器１２の上部に位置した際に、当該上部の演出装置１００の演出物収納部１０１から該画像表示器１２の前方側に該演出物１０２を落下させるようにしたことで、演出物１０２を画像表示面１１の前方側に落下させることで演出を行うことができ、画像表示面１１に表示された表示内容に演出物を深く関連づけてより効果的な演出が可能となる。
すなわち、従来にない斬新な手法で効果的な演出を行うことができ、遊技者の興趣を向上させることができる。
また、落下させた演出物１０２を下方に位置する演出装置１００の演出物収納部１０１に収納するので、落下後の演出物１０２が画像表示器１２の表示の邪魔になるのを防止できる。
【０１７３】
また、演出装置１００は、長方形状の画像表示面１１の長辺側に各々配設し、該画像表示面１１の長辺に沿って延在している。
【０１７４】
従って、演出装置１００は、長方形状の画像表示面１１の長辺側に各々配設し、該画像表示面１１の長辺に沿って延在しているので、演出物１０２を横長の画像表示面１１の左右方向全体にかけて落下させることが可能となり、さらに演出効果を高めることができる。
【０１７５】
また、一対の演出装置１００は、いずれも演出物収納部１０１の演出物１０２を落下および収納可能に構成されている。
【０１７６】
従って、一対の演出装置１００は、いずれも演出物収納部１０１の演出物１０２を落下および収納可能に構成したので、どちらの演出装置１００が上方に位置した状態でも、上方にある演出装置１００から演出物１０２を落下させるとともに下方にある演出装置１００で演出物１０２を収納（回収）でき、演出が画像表示ユニット３２の回動位置に規制されることがなく、効率よく演出を発生できる。
【０１７７】
また、演出装置１００は、画像表示面１１の周辺を構成する周辺構成部材３６から前方に突出状に演出物収納部１０１を形成して構成し、該演出物収納部１０１における画像表示面１１側には、演出物１０２を落下および収納するための開閉装置１２０を設けている。
【０１７８】
従って、演出装置１００に、画像表示面１１の周辺を構成する周辺構成部材３６から前方に突出状に演出物収納部１０１を形成したことで、演出物１０２を画像表示面１１の前方側に確実に落下させることができる。
また、演出物収納部１０１における画像表示面１１側には、演出物１０２を落下および収納するための開閉装置１２０を設けたので、必要なときに確実に演出物１０２の落下、収納による演出を行うことができる。
【０１７９】
また、画像回動装置３０は、画像表示ユニット３２を回動可能に軸支するとともに、該画像表示ユニット３２の裏面側所定部位を収納する収納部材３３を有し、収納部材３３における画像表示ユニット３２の特定の回動位置に対応する部位に、開閉装置１２０を開閉させるための電気的駆動源（収納部開閉用ＳＯＬ１２９ａ）および駆動力を伝達する伝達部材１３０を有する駆動装置１２９を配設し、画像表示ユニット３２が前記特定の回動位置となった際に、当該画像表示ユニット３２の裏面側に設けられた被伝達部材１２３に対して、駆動装置１２９の伝達部材１３０が作用して駆動力を伝達するように構成されている。
【０１８０】
従って、開閉装置１２０を駆動する駆動装置１２９を、画像表示ユニット３２を回動可能に軸支し、画像表示ユニット３２を収納する収納部材３３の、画像表示ユニット３２の特定の回動位置に対応する部位に駆動装置１２９を設けたことで、駆動装置１２９が、回動する画像表示ユニット３２とともに回動しないので、駆動装置１２９を固定位置に配設でき、駆動機構の大きさや配設位置等の制限を抑えることができる。また、駆動装置１２９が回動することによる配線処置の問題もなくすことができる。
【０１８１】
なお、本発明はこの実施の形態のパチンコ遊技機に限られるものではなく、その他のパチンコ遊技機、アレンジボール遊技機、雀球遊技機などの弾球遊技機にも適用可能である。また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【０１８２】
【図１】本発明に係る実施形態のパチンコ遊技機の画像表示装置を有する変動表示装置を取り付けた遊技盤を示す正面図である。
【図２】画像表示装置を取り付けた遊技盤を示す背面側から見た斜視図である。
【図３】変動表示装置の前面構成部材及び裏面構成部材が取り付けられる遊技盤を示す分解斜視図である。
【図４】画像表示装置を示す分解斜視図である。
【図５】収納部材と画像表示ユニットを示す正面側から見た分解斜視図である。
【図６】カバー部材を示す斜視図である。
【図７】画像表示ユニットを示す正面図である。
【図８】画像表示ユニットの演出装置が作動した様子を示す正面図である。
【図９】画像表示ユニットの裏面図である。
【図１０】画像表示装置の上部を示す断面図である。
【図１１】演出装置が作動した状態での画像表示装置の上部を示す断面図である。
【図１２】開閉部材を示す斜視図である。
【図１３】パチンコ遊技機の制御系を説明するためのブロック図である。
【図１４】画像表示面が回転した場合の画像表示の制御を説明するための図面である。
【図１５】画像表示面が回転した場合の画像表示の制御を説明するための図面である。
【図１６】画像表示面が回転した場合の画像表示の制御および演出装置の動作を説明するための図面である。
【符号の説明】
【０１８３】
１          遊技盤
１０        画像表示装置
１１        画像表示面
１２        画像表示器
２０        裏面構成部材
３０        画像回動装置
３１        回転軸
３２        画像表示ユニット
３３        収納部材
３５        後方円盤部材
３６        周辺構成部材
３７        前方円盤部材
５２        表示用窓部
６０        演出制御装置
１００      演出装置
１０１      演出物収納部
１０２      演出物
１２０      開閉装置
１２３      被伝達部材
１２９      駆動装置
１２９ａ    収納部開閉用ＳＯＬ（電気的駆動源）
１３０      伝達部材
【図１】
2006061598.tif 000003
【図２】
2006061598.tif 000004
【図３】
2006061598.tif 000005
【図４】
2006061598.tif 000006
【図５】
2006061598.tif 000007
【図６】
2006061598.tif 000008
【図７】
2006061598.tif 000009
【図８】
2006061598.tif 000010
【図９】
2006061598.tif 000011
【図１０】
2006061598.tif 000012
【図１１】
2006061598.tif 000013
【図１２】
2006061598.tif 000014
【図１３】
2006061598.tif 000015
【図１４】
2006061598.tif 000016
【図１５】
2006061598.tif 000017
【図１６】
2006061598.tif 000018